(57)【要約】【課題】迅速かつ楽に現金を受け取ることができること。【解決手段】利用者が所持する口座の口座番号ごとに、車両に関する情報を関連付けて記憶するデータベースを備え、利用者の端末装置から出金予約情報の入力を受け付けて、車両に関する情報を取得して、データベースに記憶されているか否かを判断して、取得した車両に関する情報が一致する場合、出金金額に関する情報に応じた金額を利用者の口座から減額するとともに、出金金額に関する情報を含む出金指示情報を現金取引装置に送信して、現金取引装置に現金を出金させることができる現金出納システムを構成した。【選択図】図８
2015162132.tif 000002
【特許請求の範囲】
【請求項１】
金融機関の現金出納サービスを提供する現金取引装置と、当該現金取引装置と通信可能なサーバ装置と、を備えた現金出納システムであって、
前記サーバ装置は、
利用者が所持する口座の口座番号ごとに、車両に関する情報を関連付けて記憶するデータベースと、
前記利用者の端末装置から、前記利用者の口座番号および前記口座からの出金をおこなう出金金額に関する情報を含む出金予約情報の入力を受け付ける予約情報受付手段と、
前記予約情報受付手段が受け付けた前記出金予約情報を、前記利用者の口座番号および前記車両に関する情報に関連付けて前記データベースに記憶する予約情報登録手段と、
所定の位置を通過または前記所定の位置に停車する車両から、当該車両に関する情報を取得する車両情報取得手段と、
前記車両情報取得手段が取得した前記車両に関する情報が、前記データベースに記憶されているか否かを判断する車両情報判断手段と、
前記車両情報判断手段が前記車両に関する情報が記憶されていると判断した場合、前記車両に関する情報に、前記出金予約情報が関連付けて前記データベースに記憶されているか否かを判断する予約情報判断手段と、
前記予約情報判断手段が前記出金予約情報が記憶されていると判断した場合、前記出金金額に関する情報に応じた金額を前記利用者の口座から減額する口座減額手段と、
前記予約情報判断手段が前記出金予約情報が記憶されていると判断した場合、前記出金金額に関する情報を含む出金指示情報を前記現金取引装置に送信する出金指示送信手段と、
を備え、
前記現金取引装置は、
前記サーバ装置から送信される前記出金指示情報を受信する出金指示受信手段と、
前記出金指示受信手段が前記出金指示情報を受信した場合、前記出金金額に関する情報に応じた現金を出金口から出金する出金指示実行手段と、
を備えたことを特徴とする現金出納システム。
【請求項２】
前記データベースは、前記口座番号に利用者の生体に関する情報および前記利用者の口座の暗証番号に関する情報の少なくともいずれか一つを含む利用者の認証に関する情報を関連付けて記憶し、
前記現金取引装置は、
前記利用者の認証に関する情報の少なくともいずれか一つの入力を受け付ける認証情報受付手段と、
前記認証情報受付手段が受け付けた前記利用者の認証に関する情報を前記サーバ装置に送信する認証情報送信手段と、
を備え、
前記サーバ装置は、
前記現金取引装置から送信される前記利用者の認証に関する情報を受信する認証情報受信手段と、
前記認証情報受信手段が受信した前記利用者の認証に関する情報が、前記データベースに記憶された前記利用者の認証に関する情報と一致するか否かを判断する認証情報判断手段と、
を備え、
前記口座減額手段は、前記予約情報判断手段が前記出金予約情報が記憶されていると判断し、かつ前記認証情報判断手段が前記利用者の認証に関する情報が一致すると判断した場合、前記出金金額に関する情報に応じた金額を前記利用者の口座から減額し、
前記出金指示送信手段は、前記予約情報判断手段が前記出金予約情報が記憶されていると判断し、かつ前記認証情報判断手段が前記利用者の認証に関する情報が一致すると判断した場合、前記出金指示情報を前記現金取引装置に送信することを特徴とする請求項１に記載の現金出納システム。
【請求項３】
前記予約情報受付手段は、前記端末装置から出金予約の有効期間に関する情報の入力を受け付け、
前記予約情報登録手段は、前記予約情報受付手段が受け付けた前記出金予約の有効期間に関する情報を前記出金予約情報に関連付けて前記データベースに記憶し、
前記サーバ装置は、
前記予約情報判断手段が前記出金予約情報が記憶されていると判断した場合、前記データベースに記憶されている前記出金予約の有効期間に関する情報を参照して、前記出金予約の有効期間内に、前記車両情報取得手段が前記車両に関する情報を取得したか否かを判断する有効期間判断手段を備え、
前記口座減額手段は、前記予約情報判断手段が前記出金予約情報が記憶されていると判断し、かつ前記有効期間判断手段が前記出金予約の有効期間内に前記車両に関する情報を取得したと判断した場合、前記出金金額に関する情報に応じた金額を前記利用者の口座から減額し、
前記出金指示送信手段は、前記予約情報判断手段が前記出金予約情報が記憶されていると判断し、かつ前記有効期間判断手段が前記出金予約の有効期間内に前記車両に関する情報を取得したと判断した場合、前記出金指示情報を前記現金取引装置に送信することを特徴とする請求項１または２に記載の現金出納システム。
【請求項４】
前記データベースに記憶されている前記車両に関する情報は、前記車両のハンドルの位置に関する情報を含み、
前記出金口は、前記車両が通過または停車する前記所定の位置の両側に少なくとも一つずつ設けられ、
前記車両情報判断手段は、前記車両のハンドルの位置に関する情報に基づいて、前記出金口のいずれか一つを特定し、
前記出金指示送信手段は、前記予約情報判断手段が前記出金予約情報が記憶されていると判断した場合、前記車両情報判断手段が特定した前記出金口に関する情報を含む出金指示情報を前記現金取引装置に送信し、
前記出金指示実行手段は、前記現金を前記出金口に関する情報に応じた出金口から出金することを特徴とする請求項１〜３のいずれか一つに記載の現金出納システム。
【請求項５】
前記現金取引装置は、開閉可能なシャッターで閉鎖される閉鎖スペース内に配置されており、
前記サーバ装置は、
前記所定の位置に停車したことが検出され、かつ前記予約情報判断手段が前記出金予約情報が記憶されていると判断した場合、前記シャッターを開放させるシャッター開放指示を送信する開放指示送信手段と、
前記開放指示送信手段が前記シャッター開放指示を送信した後に、前記閉鎖スペース内に前記車両が検出された場合、前記シャッターを閉鎖させるシャッター閉鎖指示を送信する閉鎖指示送信手段と、
を備え、
前記現金取引装置は、
前記出金指示実行手段が前記出金口から出金した前記現金の受け取りを検出する受取検出手段と、
前記受取検出手段が前記現金の受け取りを検出した場合、前記現金の受け取りに関する情報を前記サーバ装置に送信する受取情報送信手段と、
を備え、
前記サーバ装置は、さらに、前記現金取引装置から送信される前記現金の受け取りに関する情報を受信する受取情報受信手段を備え、
前記開放指示送信手段は、前記受取情報受信手段が前記現金の受け取りに関する情報を受信した場合、前記シャッター開放指示を送信することを特徴とする請求項１〜４のいずれか一つに記載の現金出納システム。
【請求項６】
前記サーバ装置は、前記所定の位置と前記閉鎖スペースとの間で停車パレットを移動させる指示を送信する移動情報送信手段を備え、
前記移動情報送信手段は、
前記閉鎖スペース内に前記車両が検出されず、かつ前記開放指示送信手段が前記シャッター開放指示を送信した場合、前記所定の位置から前記閉鎖スペースまで前記停車パレットを移動させる指示を送信し、
前記閉鎖スペース内に前記車両が検出され、かつ前記受取情報受信手段が前記現金の受け取りに関する情報を受信した後に前記開放指示送信手段が前記シャッター開放指示を送信した場合、前記閉鎖スペースから前記所定の位置まで前記停車パレットを移動させる指示を送信することを特徴とする請求項５に記載の現金出納システム。
【発明の詳細な説明】
【技術分野】
【０００１】
この発明は、現金出納システムに関する。
【背景技術】
【０００２】
従来、銀行などに設置されている現金取引装置においては、カードを挿入して、暗証番号などの本人認証をおこない、本人認証が正常におこなわれた場合に、入力した金額に応じた現金が出金される。たとえば、遠方にある銀行などにある現金取引装置から現金を引き出す場合、車で銀行まで行って、車から降りて、現金取引装置を操作して現金を引き出している。関連する技術として、具体的には、従来、たとえば、車から降りずに現金を引き出すドライブスルー型の現金取引装置において、現金を引き出すようにした技術があった（たとえば、下記非特許文献１を参照。）。
【先行技術文献】
【非特許文献】
【０００３】
【非特許文献１】［平成２６年１月２１日検索］、インターネット＜ＵＲＬ：ｈｔｔｐ：／／ｗｗｗ．ｏｋｂ．ｃｏ．ｊｐ／ｐｅｒｓｏｎａｌ／ｃｏｎｖｅｎｉ／ａｔｍ＿ｆｅａｔｕｒｅ．ｈｔｍｌ＞
【発明の概要】
【発明が解決しようとする課題】
【０００４】
しかしながら、上述した従来の技術は、現金取引装置から現金を引き出す際に車両での移動をともなう場合、利用者が現金を手にするまでの作業が煩わしいという問題があった。具体的には、たとえば、車両での移動をともなって現金取引装置の設置場所におもむき、車両から降りて、現金取引装置を操作して現金を引き出した後、車両に戻るという作業をおこなわなくてはならず、煩わしいという問題があった。特に、乳幼児などの手が離せない子供がいるときなどは、車両から降りて、現金取引装置に行くのが大変であるという問題があった。
【０００５】
また、車両から降りて現金を引き出す従来の方法は、現金を引き出した利用者に第三者が接触しやすいため、車両に乗ったまま現金を引き出す方法と比較して、引き出した現金が奪われやすい。上述した非特許文献１に記載された従来の技術は、車両から降りずに現金を引き出すことができるものの、カードを現金取引装置に入れて、暗証番号などを入力するため、時間がかかり、煩わしいという問題があった。また、上述した非特許文献１に記載された従来の技術は、車両に乗ったまま、現金取引装置にカードを挿入して、現金取引装置を操作するために、カードを挿入しにくい場合や、現金取引装置を操作しにくい場合があるなどの問題があった。また、上述した非特許文献１に記載された従来の技術は、車両から降りて、現金取引装置を操作する手続とさほど変わらないという問題があった。
【０００６】
この発明は、上述した従来技術による問題点を解消するため、車両から降りずに迅速かつ楽に現金を引き出すことができる現金出納システムを提供することを目的とする。
【０００７】
また、この発明は、上述した従来技術による問題点を解消するため、車両での移動をともなっておこなう現金取引装置からの現金の引き出しをおこなう利用者の利便性の向上を図ることができる現金出納システムを提供することを目的とする。
【課題を解決するための手段】
【０００８】
上述した課題を解決し、目的を達成するため、この発明にかかる現金出納システムは、金融機関の現金出納サービスを提供する現金取引装置と、当該現金取引装置と通信可能なサーバ装置と、を備えた現金出納システムであって、前記サーバ装置が、利用者が所持する口座の口座番号ごとに、車両に関する情報を関連付けて記憶するデータベースと、前記利用者の端末装置から、前記利用者の口座番号および前記口座からの出金をおこなう出金金額に関する情報を含む出金予約情報の入力を受け付ける予約情報受付手段と、前記予約情報受付手段が受け付けた前記出金予約情報を、前記利用者の口座番号および前記車両に関する情報に関連付けて前記データベースに記憶する予約情報登録手段と、所定の位置を通過または前記所定の位置に停車する車両から、当該車両に関する情報を取得する車両情報取得手段と、前記車両情報取得手段が取得した前記車両に関する情報が、前記データベースに記憶されているか否かを判断する車両情報判断手段と、前記車両情報判断手段が前記車両に関する情報が記憶されていると判断した場合、前記車両に関する情報に、前記出金予約情報が関連付けて前記データベースに記憶されているか否かを判断する予約情報判断手段と、前記予約情報判断手段が前記出金予約情報が記憶されていると判断した場合、前記出金金額に関する情報に応じた金額を前記利用者の口座から減額する口座減額手段と、前記予約情報判断手段が前記出金予約情報が記憶されていると判断した場合、前記出金金額に関する情報を含む出金指示情報を前記現金取引装置に送信する出金指示送信手段と、を備え、前記現金取引装置が、前記サーバ装置から送信される前記出金指示情報を受信する出金指示受信手段と、前記出金指示受信手段が前記出金指示情報を受信した場合、前記出金金額に関する情報に応じた現金を出金口から出金する出金指示実行手段と、を備えたことを特徴とする。
【０００９】
また、この発明にかかる現金出納システムは、上記の発明において、前記データベースが、前記口座番号に利用者の生体に関する情報および前記利用者の口座の暗証番号に関する情報の少なくともいずれか一つを含む利用者の認証に関する情報を関連付けて記憶し、前記現金取引装置が、前記利用者の認証に関する情報の少なくともいずれか一つの入力を受け付ける認証情報受付手段と、前記認証情報受付手段が受け付けた前記利用者の認証に関する情報を前記サーバ装置に送信する認証情報送信手段と、を備え、前記サーバ装置が、前記現金取引装置から送信される前記利用者の認証に関する情報を受信する認証情報受信手段と、前記認証情報受信手段が受信した前記利用者の認証に関する情報が、前記データベースに記憶された前記利用者の認証に関する情報と一致するか否かを判断する認証情報判断手段と、を備え、前記口座減額手段が、前記予約情報判断手段が前記出金予約情報が記憶されていると判断し、かつ前記認証情報判断手段が前記利用者の認証に関する情報が一致すると判断した場合、前記出金金額に関する情報に応じた金額を前記利用者の口座から減額し、前記出金指示送信手段が、前記予約情報判断手段が前記出金予約情報が記憶されていると判断し、かつ前記認証情報判断手段が前記利用者の認証に関する情報が一致すると判断した場合、前記出金指示情報を前記現金取引装置に送信することを特徴とする。
【００１０】
また、この発明にかかる現金出納システムは、上記の発明において、前記予約情報受付手段が、前記端末装置から出金予約の有効期間に関する情報の入力を受け付け、前記予約情報登録手段が、前記予約情報受付手段が受け付けた前記出金予約の有効期間に関する情報を前記出金予約情報に関連付けて前記データベースに記憶し、前記サーバ装置が、前記予約情報判断手段が前記出金予約情報が記憶されていると判断した場合、前記データベースに記憶されている前記出金予約の有効期間に関する情報を参照して、前記出金予約の有効期間内に、前記車両情報取得手段が前記車両に関する情報を取得したか否かを判断する有効期間判断手段を備え、前記口座減額手段が、前記予約情報判断手段が前記出金予約情報が記憶されていると判断し、かつ前記有効期間判断手段が前記出金予約の有効期間内に前記車両に関する情報を取得したと判断した場合、前記出金金額に関する情報に応じた金額を前記利用者の口座から減額し、前記出金指示送信手段が、前記予約情報判断手段が前記出金予約情報が記憶されていると判断し、かつ前記有効期間判断手段が前記出金予約の有効期間内に前記車両に関する情報を取得したと判断した場合、前記出金指示情報を前記現金取引装置に送信することを特徴とする。
【００１１】
また、この発明にかかる現金出納システムは、上記の発明において、前記データベースに記憶されている前記車両に関する情報が、前記車両のハンドルの位置に関する情報を含み、前記出金口が、前記車両が通過または停車する前記所定の位置の両側に少なくとも一つずつ設けられ、前記車両情報判断手段が、前記車両のハンドルの位置に関する情報に基づいて、前記出金口のいずれか一つを特定し、前記出金指示送信手段が、前記予約情報判断手段が前記出金予約情報が記憶されていると判断した場合、前記車両情報判断手段が特定した前記出金口に関する情報を含む出金指示情報を前記現金取引装置に送信し、前記出金指示実行手段が、前記現金を前記出金口に関する情報に応じた出金口から出金することを特徴とする。
【００１２】
また、この発明にかかる現金出納システムは、上記の発明において、前記現金取引装置が、開閉可能なシャッターで閉鎖される閉鎖スペース内に配置されており、前記サーバ装置が、前記所定の位置に停車したことが検出され、かつ前記予約情報判断手段が前記出金予約情報が記憶されていると判断した場合、前記シャッターを開放させるシャッター開放指示を送信する開放指示送信手段と、前記開放指示送信手段が前記シャッター開放指示を送信した後に、前記閉鎖スペース内に前記車両が検出された場合、前記シャッターを閉鎖させるシャッター閉鎖指示を送信する閉鎖指示送信手段と、を備え、前記現金取引装置が、前記出金指示実行手段が前記出金口から出金した前記現金の受け取りを検出する受取検出手段と、前記受取検出手段が前記現金の受け取りを検出した場合、前記現金の受け取りに関する情報を前記サーバ装置に送信する受取情報送信手段と、を備え、前記サーバ装置が、さらに、前記現金取引装置から送信される前記現金の受け取りに関する情報を受信する受取情報受信手段を備え、前記開放指示送信手段が、前記受取情報受信手段が前記現金の受け取りに関する情報を受信した場合、前記シャッター開放指示を送信することを特徴とする。
【００１３】
また、この発明にかかる現金出納システムは、上記の発明において、前記サーバ装置が、前記所定の位置と前記閉鎖スペースとの間で停車パレットを移動させる指示を送信する移動情報送信手段を備え、前記移動情報送信手段が、前記閉鎖スペース内に前記車両が検出されず、かつ前記開放指示送信手段が前記シャッター開放指示を送信した場合、前記所定の位置から前記閉鎖スペースまで前記停車パレットを移動させる指示を送信し、前記閉鎖スペース内に前記車両が検出され、かつ前記受取情報受信手段が前記現金の受け取りに関する情報を受信した後に前記開放指示送信手段が前記シャッター開放指示を送信した場合、前記閉鎖スペースから前記所定の位置まで前記停車パレットを移動させる指示を送信することを特徴とする。
【発明の効果】
【００１４】
この発明にかかる現金出納システムによれば、車両から降りずに迅速かつ楽に現金を引き出すことができるという効果を奏する。また、この発明にかかる現金出納システムによれば、車両での移動をともなっておこなう現金取引装置からの現金の引き出しをおこなう利用者の利便性の向上を図ることができるという効果を奏する。
【図面の簡単な説明】
【００１５】
【図１】この発明にかかる実施の形態の現金出納システムのシステム構成を示す説明図である。
【図２】この発明にかかる実施の形態の現金出納システムを構成するサーバ装置を実現するコンピュータ装置のハードウエア構成を示す説明図である。
【図３】この発明にかかる実施の形態の現金出納システムを構成するＡＴＭのハードウエア構成を示す説明図である。
【図４】この発明にかかる実施の形態の現金出納システムを構成する利用者の端末装置を実現するコンピュータ装置のハードウエア構成を示す説明図である。
【図５】車両データベースの一例を示す説明図である。
【図６−１】この発明にかかる実施の形態の現金出納システムにおけるＡＴＭが表示する表示画面例を示す説明図（その１）である。
【図６−２】この発明にかかる実施の形態の現金出納システムにおけるＡＴＭが表示する表示画面例を示す説明図（その２）である。
【図７−１】この発明にかかる実施の形態の現金出納システムにおける利用者の端末装置が表示する表示画面例を示す説明図（その１）である。
【図７−２】この発明にかかる実施の形態の現金出納システムにおける利用者の端末装置が表示する表示画面例を示す説明図（その２）である。
【図７−３】この発明にかかる実施の形態の現金出納システムにおける利用者の端末装置が表示する表示画面例を示す説明図（その３）である。
【図８】この発明にかかる実施の形態の現金出納システムの機能的構成を示すブロック図である。
【図９】この発明にかかる実施の形態の現金出納システムが備えるサーバ装置の処理手順を示すフローチャートである。
【図１０】この発明にかかる実施の形態の現金出納システムが備えるＡＴＭの処理手順を示すフローチャートである。
【図１１】この発明にかかる実施の形態の現金出納システムが備える利用者の端末装置の処理手順を示すフローチャートである。
【発明を実施するための形態】
【００１６】
以下に添付図面を参照して、この発明にかかる現金出納システムの好適な実施の形態を詳細に説明する。
【００１７】
（現金出納システムのシステム構成）
まず、この発明にかかる実施の形態の現金出納システム１００のシステム構成について説明する。図１は、この発明にかかる実施の形態の現金出納システム１００のシステム構成を示す説明図である。
【００１８】
図１において、この発明にかかる実施の形態の現金出納システム１００は、サーバ装置１１０と、現金取引装置を実現するＡＴＭ（Ａｕｔｏｍａｔｉｃ  Ｔｅｌｌｅｒ  Ｍａｃｈｉｎｅ）１２０と、を備えて構成されている。ＡＴＭ１２０は、銀行などの金融機関が発行した口座からの現金の引き出しの現金出金サービスを提供する。なお、銀行などの金融機関が発行したカードの挿入を受け付けるカード挿入口１２１を備えていてもよく、カードが挿入された状態において所定の入力操作を受け付けた場合に、預貯金口座からの現金の引き出し、振り込み、振替などの金融機関の現金出金サービスを提供してもよい。なお、ＡＴＭ１２０は、預貯金口座への現金の預け入れ、預貯金残高や取引明細の照会なども含めた現金出納サービスを提供してもよい。
【００１９】
この発明にかかる実施の形態の現金出納システム１００において、現金取引装置は、預貯金口座からの現金の引き出し、振り込み、振替などの金融機関の現金出金サービスを提供する、いわゆる、現金自動預け払い機と称されるＡＴＭ１２０に加えて、現金の引き出しのみをおこなう現金自動支払い機あるいはＣＤ（Ｃａｓｈ  Ｄｉｓｐｅｎｓｅｒ）を含んでいてもよい。すなわち、この発明にかかる現金取引装置は、金融機関が提供する各種サービスのうち、少なくとも現金の出金サービスを提供する装置であればよい。
【００２０】
ＡＴＭ１２０は、金融機関の店舗（敷地）内などに確保された、ＡＴＭ１２０を利用する利用者が乗車する車両を停車させるスペース（停車スペース）の近傍に設置されている。ＡＴＭ１２０は、停車スペースに対して、当該停車スペースにおける車両に乗車する利用者が操作可能な位置に設置されている。
【００２１】
停車スペースは、壁やシャッターなどによって四方を囲まれた空間であって、外部とは隔離され、閉鎖されたスペース（閉鎖スペース）であっていてもよい。停車スペースを、外部とは隔離した閉鎖スペースとした場合、ＡＴＭ１２０は当該閉鎖スペース内に配置される。閉鎖スペースは、壁やシャッターに加えて、屋根を備えていてもよい。シャッターは、開放した状態においては閉鎖スペースと外部との間における車両の行き来を可能とし、閉じた状態においては閉鎖スペースと外部との間における車両の行き来を遮断する。シャッターは、閉鎖スペースの内側を外側に対して密閉するものに限らず、車両あるいは人の通り抜けを規制する程度の間隔の柵によって実現されるものであってもよい。
【００２２】
閉鎖スペースは、たとえば、閉鎖スペース内に侵入した入り口とは異なる出口から閉鎖スペースの外へ至るように、複数のシャッターを用いて構成するようにしてもよい。これにより、入り口を経由して閉鎖スペース内に侵入した車両を、当該入り口とは異なる出口から閉鎖スペースの外へ誘導することができる。閉鎖スペースに対する車両の出入りは、たとえば、当該車両に自走させることによっておこなう。あるいは、閉鎖スペースの内側と外側との間を往復移動する停車パレットを設け、当該停車パレットを車両を積載した状態で往復移動させることにより、閉鎖スペースに対する車両の出入りをおこなってもよい。
【００２３】
閉鎖スペースへの入り口の近傍など、閉鎖スペース内に進入する車両が通行する所定の位置には、カメラ（図２における符号２０８を参照）が設けられている。カメラは、閉鎖スペース内に進入するために所定の位置を通過（または停止）する車両のナンバープレートを撮像する。閉鎖スペース内には、センサ（図２における符号２０９を参照）が設けられている。センサは、閉鎖スペース内に進入した車両の有無に応じて出力が変化する。
【００２４】
現金出納システム１００においては、車両を運転する利用者を閉鎖スペース内に案内し、当該利用者に対して閉鎖スペース内おいてＡＴＭ１２０を操作させる。ＡＴＭ１２０は、利用者の操作を受け付ける操作部を備えている。ＡＴＭ１２０において、操作部は、一つであってもよく、複数設けられていてもよい。操作部を複数設ける場合、各操作部は、進行方向に向かってハンドルが右側に設けられている車両（右ハンドル車）であるか、進行方向に向かってハンドルが左側に設けられている車両（左ハンドル車）であるかにかかわらず、運転席に座っている利用者が操作することができるように、上記の停車スペースに対して右側および左側に配置されていることが好ましい。これにより、運転席に座っている利用者は、車両におけるハンドルの位置にかかわらず、ドライブスルー形式により、車両から降りることなく操作部に対する操作をおこなうことができる。
【００２５】
ＡＴＭ１２０は、当該ＡＴＭ１２０を利用する利用者が現金を受け取る出金口を備えている。出金口は、当該出金口を出金時のみ開放する扉（シャッター）を備えていてもよい。ＡＴＭ１２０において、出金口は複数設けられていてもよい。この場合、複数設けられる出金口は、右ハンドル車であるか左ハンドル車であるかにかかわらず、運転席に座っている利用者が容易に現金を取り出すことができるように、上記の停車スペースに対して右側および左側に配置されていることが好ましい。これにより、運転席に座っている利用者は、車両におけるハンドルの位置にかかわらず、ドライブスルー形式により、車両から降りることなく容易に現金を受け取ることができる。
【００２６】
また、出金口を複数設ける場合、複数設けられる出金口は、車両の前方側の席に座っている利用者および後部座席に座っている利用者のそれぞれが現金を取り出すことができるように、車両の進行方向に沿って複数設けられていてもよい。これにより、ＡＴＭ１２０から現金を受け取る利用者が座っている位置にかかわらず、車両における助手席や後部座席に座っている利用者は、ドライブスルー形式により、車両から降りることなく容易に現金を受け取ることができる。
【００２７】
閉鎖スペースにおいては、操作部や出金口を複数備えたＡＴＭ１２０に代えて、自走式のＡＴＭ１２０を設けてもよい。具体的には、たとえば、閉鎖スペース内の床面や壁面に、操作部や出金口を備えたＡＴＭ１２０の位置を誘導するレールを設け、ＡＴＭ１２０に駆動力を付与するモータ（図２における符号２１０を参照）を設け、モータの駆動力によって閉鎖スペース内においてＡＴＭ１２０をレールに沿って移動させることにより、閉鎖スペースにおいてＡＴＭ１２０を自走させることができる。
【００２８】
この場合、たとえば、レールの断面形状を略Ｃ字型とし、レールからＡＴＭ１２０が容易に外れてしまうことがないように、ＡＴＭ１２０の一部と当該レールとを噛み合わせた構成とすることが好ましい。これにより、ＡＴＭ１２０を可動式とした場合にも当該ＡＴＭ１２０が盗難されることを抑制するとともに、右ハンドル車であるか左ハンドル車であるかにかかわらず、運転席に座っている利用者が操作部や出金口に触れることができる位置に、ＡＴＭ１２０を移動させることができる。
【００２９】
ＡＴＭ１２０が閉鎖スペース内に設置されている場合には、ＡＴＭ１２０は、閉鎖スペース内を移動可能なものであってもよく、運転席から容易に操作可能な位置まで移動可能なことが好ましい。この場合、ＡＴＭ１２０はモータによって移動可能な台座の上に搭載されていてもよい。出金口は、閉鎖スペース内に、運転席や助手席だけでなく、左右の後部座席に座っている利用者からも容易に現金が取り出せるように配置されてもよい。
【００３０】
サーバ装置１１０とＡＴＭ１２０とは、それぞれ、都市銀行などの金融機関どうしの提携ネットワークなどのネットワーク１０１に接続されている。金融機関どうしの提携ネットワークは、各金融機関のＡＴＭ（ＣＤやＡＴＭ）１２０どうしを相互に接続することによって構成されるネットワーク１０１であって、たとえば、ＢＡＮＣＳ（ＢＡＮｋｓ  Ｃａｓｈ  Ｓｅｒｖｉｃｅ）、ＭＩＣＳ（Ｍｕｌｔｉ  Ｉｎｔｅｇｒａｔｅｄ  Ｃａｓｈ  Ｓｅｒｖｉｃｅ）、ＡＣＳ（Ａｌｌ  Ｊａｐａｎ  Ｃａｒｄ  Ｓｅｒｖｉｃｅ）、ＬＯＮＧＳなどが存在する。現金出納システム１００において、各ＡＴＭ１２０は、それぞれ、サーバ装置１１０との間で通信可能とされている。
【００３１】
現金出納システム１００は、利用者の端末装置１３０を含んで構成されるものであってもよい。利用者の端末装置１３０は、インターネットなどのネットワーク１０１を介してサーバ装置１１０に接続されており、金融機関がインターネット上に開設した所定のＷＥＢサイトにアクセスすることができる。サーバ装置１１０や利用者の端末装置１３０は、パーソナルコンピュータなどのコンピュータ装置によって実現することができる。利用者の端末装置１３０は、たとえば、後述する出金予約情報の登録をおこなう場合に用いることができる。
【００３２】
（コンピュータ装置のハードウエア構成）
つぎに、この発明にかかる実施の形態の現金出納システム１００を構成するサーバ装置１１０を実現するコンピュータ装置のハードウエア構成について説明する。図２は、この発明にかかる実施の形態の現金出納システム１００を構成するサーバ装置１１０を実現するコンピュータ装置のハードウエア構成を示す説明図である。
【００３３】
図２において、この発明にかかる実施の形態の現金出納システム１００を構成するサーバ装置１１０を実現するコンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ネットワークＩ／Ｆ（インターフェイス）２０６と、入出力Ｉ／Ｆ２０７と、を備えている。また、この発明にかかる実施の形態の現金出納システム１００を構成するサーバ装置１１０を実現するコンピュータ装置が備える各部は、バス２００によってそれぞれ接続されている。
【００３４】
ＣＰＵ２０１は、コンピュータ装置全体の制御をつかさどる。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３５】
ネットワークＩ／Ｆ２０６は、ネットワーク１０１を介してＡＴＭ１２０に接続されている。また、ネットワークＩ／Ｆ２０６は、ネットワーク１０１を介して利用者の端末装置１３０に接続されている。ネットワークＩ／Ｆ２０６は、ネットワーク１０１と内部とのインターフェイスをつかさどり、コンピュータ装置におけるデータの入出力を制御する。
【００３６】
入出力Ｉ／Ｆ２０７は、カメラ２０８、センサ２０９およびモータ２１０に接続されている。また、入出力Ｉ／Ｆ２０７は、カメラ２０８、センサ２０９およびモータ２１０と内部とのインターフェイスをつかさどり、コンピュータ装置におけるデータの入出力を制御する。
【００３７】
カメラ２０８は、ＣＰＵ２０１によって駆動制御され、たとえば、車両のナンバープレートを撮像する。これにより、車両に関する情報を取得することができる。上記のように、センサ２０９は、閉鎖スペース内における車両の有無に応じて出力が変化するため、センサ２０９の出力変化に基づいて閉鎖スペース内における車両の有無を検出することができる。サーバ装置１１０は、カメラ２０８により車両のナンバープレートを撮像したタイミングと、センサ２０９の出力変化とに基づいて、閉鎖スペース内に、ナンバープレートを撮像した車両以外の車両の有無を判断することができる。
【００３８】
モータ２１０は、ＣＰＵ２０１によって駆動制御され、閉鎖スペースのシャッターを開閉させる。閉鎖スペースに上記の停車パレットが設けられている場合、モータ２１０は、当該停車パレットを往復移動させてもよい。ＡＴＭ１２０を自走式とした場合、モータ２１０の駆動力によってＡＴＭ１２０を自走させるようにしてもよい。
【００３９】
入出力Ｉ／Ｆ２０７には、ＩＣリーダ（図示せず）が接続されてもよい。ＩＣリーダは、ＩＣチップに記憶された情報（たとえば、後述する車両に関する情報）を読み取る。ＩＣリーダは、たとえば、銀行などの金融機関が預貯金口座の開設者（利用者）に発行するキャッシュカードなどのカードに搭載されたＩＣチップを読み取り対象とする。キャッシュカードなどのカードに搭載されたＩＣチップは、預貯金口座の口座番号や、当該預金口座にかかる金融取引に用いる認証情報（暗証番号や生体情報）などを記憶している。キャッシュカードなどのカードに搭載されたＩＣチップは、たとえば、キャッシュカードなどのカードの発行時に、銀行員などによって口座番号や認証情報の入力を受け付けることができる。
【００４０】
現金出納システム１００において、ＩＣリーダは、キャッシュカードなどのカードに搭載されたＩＣチップに代えて、車両に取り付けたＩＣチップを読み取り対象としてもよい。この場合、車両に取り付けたＩＣチップは、口座番号や認証情報（暗証番号や生体情報）に加えて、車台番号などのような車両に関する情報を記憶していてもよい。車両に取り付けたＩＣチップは、たとえば、車両の購入時にディーラーなどによって車両に関する情報の入力を受け付けることができる。
【００４１】
ＩＣリーダは、アンテナコイルを備えており、当該アンテナコイルに電流を流すことにより発生する交流磁界の中をＩＣチップが通過した場合に、ＩＣチップ側のアンテナコイルに誘起される交流電圧を直流電圧に変換することによりＩＣチップにおいて電力を発生させ、当該電力を用いてＩＣチップと通信をおこなう。非接触型のＩＣチップの通信方法については、公知の技術を用いて容易に実現可能であるため説明を省略する。
【００４２】
カメラ２０８、センサ２０９、モータ２１０およびＩＣリーダは、有線により入出力Ｉ／Ｆ２０７に直接接続されているものに限らない。カメラ２０８、センサ２０９、モータ２１０およびＩＣリーダは、たとえば、無線により入出力Ｉ／Ｆ２０７に接続されていてもよい。また、カメラ２０８、センサ２０９、モータ２１０およびＩＣリーダは、入出力Ｉ／Ｆ２０７を介して接続されているものに限らない。カメラ２０８、センサ２０９、モータ２１０およびＩＣリーダは、たとえば、ネットワークＩ／Ｆ２０６を介してコンピュータ装置に接続されていてもよい。
【００４３】
（ＡＴＭ１２０のハードウエア構成）
つぎに、この発明にかかる実施の形態の現金出納システム１００を構成するＡＴＭ１２０を実現するコンピュータ装置のハードウエア構成について説明する。図３は、この発明にかかる実施の形態の現金出納システム１００を構成するＡＴＭ１２０を実現するコンピュータ装置のハードウエア構成を示す説明図である。
【００４４】
図３において、この発明にかかる実施の形態の現金出納システム１００を構成するＡＴＭ１２０を実現するコンピュータ装置は、ＣＰＵ３０１と、ＲＯＭ３０２と、ＲＡＭ３０３と、ディスプレイ３０４と、タッチパネル３０５と、ネットワークＩ／Ｆ３０６と、プリンタ３０７と、カードリーダライタ３０８と、指紋リーダ３０９と、カメラ３１０と、マイク３１１と、センサ３１２と、を備えている。この発明にかかる実施の形態の現金出納システム１００を構成するＡＴＭ１２０を実現するコンピュータ装置が備える各部は、バス３００によってそれぞれ接続されている。また、ＡＴＭ１２０は、各種のデータを記憶するＨＤや当該ＨＤに対するデータのリード／ライトを制御するＨＤＤなどを備えていてもよい。
【００４５】
ＣＰＵ３０１は、ＡＴＭ１２０全体の制御をつかさどり、ＲＡＭ３０３をワークエリアとしながらＲＯＭ３０２に記憶された各種プログラムを実行する。ディスプレイ３０４は、たとえば、表示画面（図６−１〜図６−２を参照）を表示する。ディスプレイ３０４は、具体的には、たとえばＴＦＴ液晶ディスプレイ、プラズマディスプレイ、有機ＥＬディスプレイなど、公知の各種のディスプレイによって実現することができる。
【００４６】
タッチパネル３０５は、ディスプレイ３０４に積層されており、操作された位置に応じた座標信号を出力する。ＣＰＵ３０１は、たとえば、ディスプレイ３０４における表示内容とタッチパネル３０５において操作された座標位置とに基づいて、表示内容を切り替える。ＡＴＭ１２０は、タッチパネル３０５に加えて、数値を入力するテンキーを備えていてもよい。また、タッチパネル３０５に代えてあるいは加えて、キーボードを備えていてもよい。
【００４７】
ネットワークＩ／Ｆ３０６は、ネットワーク１０１を介して、サーバ装置１１０を実現するコンピュータ装置との間での通信をおこなう。ネットワークＩ／Ｆ３０６は、サーバ装置１１０を実現するコンピュータ装置との間で通信をおこなうことによって、たとえば、現金の受け取りに関する情報などの各種の情報をサーバ装置１１０に送信する。
【００４８】
プリンタ３０７は、タッチパネル３０５に対する入力操作に応じてＡＴＭ１２０がおこなった各種の現金出金サービスの結果を記録媒体に印刷出力する。具体的には、プリンタ３０７は、たとえば、タッチパネル３０５に対して預貯金口座から現金を引き出す入力操作がおこなわれた場合に、預貯金残高や取引明細などを印刷し、印刷された記録媒体を所定の排出口から排出する。
【００４９】
カードリーダライタ３０８は、カードが備える記憶媒体に記憶されたカード情報を読み取り、読み取った情報を含む信号をＣＰＵ３０１に出力する。カード情報は、たとえば、カードの識別情報、当該カードの所有者（利用者）の口座番号、暗証番号、預貯金口座を開設した支店名などの情報を含んでいる。
【００５０】
たとえば、この発明にかかる実施の形態のカードを、プラスチック製の板形状をなす基体にＩＣチップを搭載したＩＣチップ内蔵カードによって実現する場合、カードリーダライタ３０８は、カードが記憶媒体として備えるＩＣチップに接続される接続端子を備え、当該接続端子を介してＩＣチップに記憶されたカード情報を読み取る。カードリーダライタ３０８が非接触式ＩＣカードタイプのカードを読み取り対象とする場合は、さらに、カードと通信をおこなう通信部を備えていてもよい。
【００５１】
あるいは、たとえば、この発明にかかる実施の形態のカードを、基体に磁気製の帯を設けた磁気ストライプカードによって実現する場合、カードリーダライタ３０８は、たとえば、カードが記憶媒体として備える磁気帯に記憶されたカード情報を読み取る磁気ヘッドを備え、当該磁気ヘッドの読取位置を磁気タイプのカードが通過する際に、カードの磁気帯に記憶されたカード情報を読み取る。ＡＴＭ１２０は、カードリーダライタ３０８に代えて、カード情報の読み取りのみをおこなうカードリーダを備えていてもよい。
【００５２】
指紋リーダ３０９は、利用者の生体に関する情報の一つである指紋情報を取得する。カメラ３１０は、利用者の生体に関する情報の一つである網膜、虹彩、耳の形を撮影する。マイク３１１は、利用者の生体に関する情報の一つである声を取得する。センサ３１２は、出金口の近傍に、現金の有無に応じて出力が変化する。センサ３１２の出力変化に基づいて現金の存在を検出し、その後のセンサ３１２の出力変化に基づいて現金が持ち出されたことを検出する。
【００５３】
（利用者の端末装置１３０を実現するコンピュータ装置のハードウエア構成）
つぎに、この発明にかかる実施の形態の現金出納システム１００を構成する利用者の端末装置１３０を実現するコンピュータ装置のハードウエア構成について説明する。図４は、この発明にかかる実施の形態の現金出納システム１００を構成する利用者の端末装置１３０を実現するコンピュータ装置のハードウエア構成を示す説明図である。
【００５４】
図４において、この発明にかかる実施の形態の現金出納システム１００を構成する利用者の端末装置１３０を実現するコンピュータ装置は、ＣＰＵ４０１と、ＲＯＭ４０２と、ＲＡＭ４０３と、ＨＤＤ４０４と、ＨＤ４０５と、ディスプレイ４０６と、操作部４０７と、ネットワークＩ／Ｆ４０８と、を備えている。また、この発明にかかる実施の形態の現金出納システム１００を構成する利用者の端末装置１３０を実現するコンピュータ装置が備える各部は、バス４００によってそれぞれ接続されている。
【００５５】
ＣＰＵ４０１は、利用者の端末装置１３０を実現するコンピュータ装置全体の制御をつかさどる。ＲＯＭ４０２は、ブートプログラムなどのプログラムを記憶している。ＲＡＭ４０３は、ＣＰＵ４０１のワークエリアとして使用される。ＨＤＤ４０４は、ＣＰＵ４０１の制御にしたがってＨＤ４０５に対するデータのリード／ライトを制御する。ＨＤ４０５は、ＨＤＤ４０４の制御で書き込まれたデータを記憶する。
【００５６】
ディスプレイ４０６は、たとえば、液晶パネルを備えた表示装置によって実現することができる。ディスプレイ４０６を実現する液晶パネルは、任意の文字列、数字、記号などを表示することができる。ディスプレイ４０６は、たとえば、利用者の端末装置１３０を実現するコンピュータ装置に対して、この発明にかかる実施の形態の現金出納システム１００を運用する金融機関がインターネット上に開設した所定のＷＥＢサイトにアクセスする入力操作がおこなわれた場合に、該当するＷＥＢページなどを表示する。
【００５７】
操作部４０７は、たとえば、タッチパネル、キーボード、テンキーなどによって実現することができ、利用者による各種の入力操作を受け付ける。具体的には、たとえばディスプレイ４０６に、所定のＷＥＢサイトの「初期画面」を表示している状態で、「出金予約を登録する」キーを選択する入力操作があった場合に、出金予約情報を入力するための「入力画面」（図７−２を参照）を表示する。また、操作部４０７は、たとえば、マウスによって実現してもよい。タッチパネル、キーボード、テンキー、マウスなどによって実現される操作部４０７は、当該操作部４０７に対する入力操作に応じた信号を出力する。
【００５８】
ネットワークＩ／Ｆ４０８は、インターネットなどのネットワーク１０１に接続され、当該ネットワーク１０１を介して、サーバ装置１１０などの外部装置に接続される。そして、ネットワークＩ／Ｆ４０８は、ネットワーク１０１と利用者の端末装置１３０を実現するコンピュータ装置の内部とのインターフェイスをつかさどり、利用者の端末装置１３０を実現するコンピュータ装置と外部装置との間におけるデータの入出力を制御する。
【００５９】
（車両データベースの一例）
つぎに、車両データベースの一例について説明する。図５は、車両データベースの一例を示す説明図である。図５において、車両データベース５００は、サーバ装置１１０を実現するコンピュータ装置が備えるＨＤ２０５などの記憶媒体に設けられている。車両データベース５００は、利用者が所持する口座の口座番号（カード情報）ごとに、利用者情報を関連付けて記憶する。車両データベース５００は、口座番号に代えて、あるいは口座番号に加えて、利用者の識別情報として口座番号を特定できる情報を記憶していてもよい。利用者情報は、当該口座番号によって識別される利用者の氏名や連絡先を含む。連絡先は、たとえば、口座番号によって識別される預貯金口座を開設した利用者の住所、電話番号、電子メールアドレス、利用者の端末装置１３０に固有の電話番号や製造番号などを示す情報を含んでいてもよい。
【００６０】
車両データベース５００は、たとえば、口座番号ごとに、利用者の認証に関する情報を関連付けて記憶する。また、車両データベース５００は、口座番号ごとに、車両に関する情報を関連付けて記憶する。また、車両データベース５００は、口座番号および車両に関する情報に出金予約情報を関連付けて記憶する。また、車両データベース５００は、出金予約情報ごとに、出金予約の有効期間に関する情報などを関連付けて記憶する。また、車両データベース５００は、口座番号ごとに、利用者の認証に関する情報、車両に関する情報、出金予約情報および出金予約の有効期間に関する情報を関連付けてもよい。
【００６１】
利用者の認証に関する情報は、たとえば、本人認証をおこなう際に使用する利用者の生体（指紋、声紋、網膜、虹彩、耳の形、掌の皺、顔など）に関する情報や利用者のカード（口座）の暗証番号情報である。また、利用者の認証に関する情報は、複数の生体に関する情報やカードの暗証番号を組み合わせて本人認証をおこなうことを含んでいてもよく、この場合、本人認証をおこなう際に使用する認証方法（生体に関する情報の種類およびカードの暗証番号）やその照合順序などを含んでいてもよい。
【００６２】
車両に関する情報は、たとえば、利用者が運転する車両のナンバープレートや車台番号（車体番号）などの利用者が運転する車両を特定する情報である。また、車両に関する情報は、車両のメーカー名、車種、ボディカラー、ボディタイプ、車両のハンドルの位置に関する情報（右ハンドル、左ハンドル、運転席の高低など）を含んでいてもよい。
【００６３】
出金予約情報は、利用者の端末装置１３０から入力を受け付けた、利用者による出金の予定（予約）内容を示す情報である。出金予約情報は、たとえば、利用者の口座から出金する出金金額に関する情報を含んでいる。また、出金予約情報は、利用者の口座番号を含んでいてもよい。サーバ装置１１０は、出金予約情報に含まれる利用者の口座番号に基づいて、利用者が出金をおこなう口座を特定することができる。
【００６４】
出金予約情報は、出金金額に関する情報ごとに、出金が実行されたか否かを示す情報を含んでいる。出金予約情報は、出金をおこなう際に使用する認証方法を指定する情報を含んでいてもよい。認証方法は、たとえば、利用者の端末装置１３０において入力操作を受け付けることによって、当該利用者の端末装置１３０において、出金予約情報ごとに指定することができる。具体的には、認証方法として「指紋」による認証方法が指定されている場合、サーバ装置１１０は、ＡＴＭ１２０から送信される指紋情報が車両データベースの利用者の認証に関する情報に記憶されている指紋情報と一致するか否かを判断することにより認証をおこなうことができる。
【００６５】
出金予約の有効期間に関する情報は、出金予約情報の有効期間を示す。出金予約の有効期間は、たとえば、「いつからいつまで」のように有効期間の始点と終点とを指定することによって定めることができる。また、出金予約の有効期間は、たとえば、「（現在から）いつまで」のように、有効期間の始点を現在とし、終点のみを定めることによって定めてもよい。また、有効期間は、たとえば、「本日中」や「今日の午前中まで」などのように定めてもよい。
【００６６】
図５において、たとえば、出金予約の有効期間が２０１３年１２月１日で、出金をおこなうための本人認証は認証なし（認証不要）であって、出金金額が１万円である出金が出金済みであることを示している。また、図５において、たとえば、出金予約の有効期間が２０１４年２月１日で、出金をおこなうための本人認証には、暗証番号による認証が必要であって、出金金額が２万円である出金が未出金であることを示している。
【００６７】
図５における口座番号、利用者情報、利用者の認証に関する情報、車両に関する情報、出金予約情報および出金予約の有効期間に関する情報など、車両データベース５００が記憶する各種の情報は、利用者が端末装置１３０において所定の入力操作をおこなうことにより入力したり変更したりすることができる。車両データベース５００が記憶する各種の情報は、現金出納システム１００の管理者などが提供する現金出金サービスへの加入時に利用者が所定のサービス加入用紙に記載した情報に基づいて、現金出納システム１００の管理者がこれらの情報を入力してもよい。また、車両データベース５００が記憶する各種の情報は、車両の購入時にディーラーにおいて入力されてもよい。
【００６８】
（ＡＴＭ１２０の表示画面例）
つぎに、この発明にかかる実施の形態の現金出納システム１００におけるＡＴＭ１２０が表示する表示画面例について説明する。図６−１および図６−２は、この発明にかかる実施の形態の現金出納システム１００におけるＡＴＭ１２０が表示する表示画面例を示す説明図である。
【００６９】
図６−１において、表示画面６０１は、ＡＴＭ１２０が備えるディスプレイ３０４に表示される認証方法の選択画面を示している。表示画面６０１は、「指紋」キー、「声紋」キー、「暗証番号」キー、「網膜」キー、「虹彩」キーなどの利用者の認証に関する情報を指定する各キーを表示する。表示画面６０１において、耳の形、掌の皺などのその他の生体に関する情報を指定する各キーを表示してもよい。すなわち、表示画面６０１において操作することで、利用者の認証に関する情報を選択することができる。
【００７０】
図６−２において、表示画面６０２は、表示画面６０１において「指紋」キーが操作された場合に、ＡＴＭ１２０が備えるディスプレイ３０４に表示される。表示画面６０２は、「指紋リーダに指をかざしてください」などのメッセージを表示することによって、利用者に指紋リーダ３０９へ利用者の指の接触を促す。利用者は、表示画面６０２にしたがって、指紋リーダ３０９に指をかざす。たとえば、表示画面６０１において「指紋」キー以外の「声紋」キーや「暗証番号」キーが操作された場合には、「マイクに向かって話してください」や「暗証番号を入力してください」などといったメッセージを表示することによって、各キーのそれぞれに応じた利用者の認証に関する情報の入力を促す。
【００７１】
（利用者の端末装置１３０の表示画面例）
つぎに、この発明にかかる実施の形態の現金出納システム１００における利用者の端末装置１３０が表示する表示画面例について説明する。図７−１、図７−２および図７−３は、この発明にかかる実施の形態の現金出納システム１００における利用者の端末装置１３０が表示する表示画面例を示す説明図である。
【００７２】
図７−１において、表示画面７０１は、たとえば、利用者が、利用者の端末装置１３０に対して、この発明にかかる実施の形態の現金出納システム１００を運用する金融機関がインターネット上に開設した所定のＷＥＢサイトにアクセスする入力操作をおこなった場合に、当該利用者の端末装置１３０が備えるディスプレイ４０６に表示される。表示画面７０１は、「振り込み・振替」、「口座情報照会」、「セキュリティ設定」、「外貨預金」などインターネットを介して提供される金融機関のサービスに加えて、「出金予約を登録する」および「出金予約を確認する」を表示する。
【００７３】
図７−２において、表示画面７０２は、表示画面７０１において「出金予約を登録する」キーが操作された場合に、利用者の端末装置１３０が備えるディスプレイ４０６に表示される。表示画面７０２は、現金の引き出し金額に関する情報を入力する金額入力欄７０２１、出金予約の有効期間に関する情報を入力する有効期間入力欄７０２２、出金をおこなう際に使用する認証方法を指定する情報を入力する認証方法入力欄７０２３を表示する。認証方法入力欄７０２３は、たとえば、プルダウンキーなどによって、「認証なし」、「指紋」、「声紋」、「暗証番号」などによる認証方法を指定することができる。また、複数の認証方法やその照合順序なども指定してもよい。
【００７４】
表示画面７０２において、入力欄７０２１〜７０２３に入力された状態で「登録」キー７０２４を選択すると、入力欄７０２１〜７０２３に入力された情報がサーバ装置１１０に送信される。出金予約の有効期間に関する情報を入力する有効期間入力欄７０２２に入力がない場合には、たとえば、有効期間なしとしてもよく、システム所定の有効期間に関する情報が設定されてもよい。本人認証方法に関する情報を入力する認証方法入力欄７０２３に入力がない場合には、たとえば、特定の認証方法を指定せず、出金するときに利用者がＡＴＭ１２０から選択または入力された認証方法としてもよい。「戻る」キー７０２５を選択すると、端末装置１３０の表示が表示画面７０１に戻る。
【００７５】
図７−３において、表示画面７０３は、表示画面７０１において「出金予約を確認する」キーが操作された場合に、利用者の端末装置１３０が備えるディスプレイ４０６に表示される。表示画面７０３において、出金予約情報の出金金額に関する情報は、「２万円」、出金予約の有効期間に関する情報は、「２０１４年２月１日」、出金をおこなう際に使用する認証方法を指定する情報は、「暗証番号」であることを示している。
【００７６】
表示画面７０３において、「変更する」キー７０３１を選択すると、表示画面７０２に戻って、登録済みの出金予約情報のうちの現金の引き出し金額に関する情報、出金予約の有効期間に関する情報および出金をおこなう際に使用する認証方法を指定する情報の少なくともいずれか一つを変更することができる。「戻る」キー７０３２を選択すると、端末装置１３０の表示が表示画面７０１に戻る。
【００７７】
（現金出納システム１００の機能的構成）
つぎに、この発明にかかる実施の形態の現金出納システム１００の機能的構成について説明する。図８は、この発明にかかる実施の形態の現金出納システム１００の機能的構成を示すブロック図である。
【００７８】
図８において、この発明にかかる実施の形態の現金出納システム１００におけるＡＴＭ１２０の各機能は、認証情報受付部８０１と、認証情報送信部８０２と、出金指示受信部８０３と、出金指示実行部８０４と、受取検出部８０５と、受取情報送信部８０６と、によって実現することができる。ＡＴＭ１２０の各機能を実現する認証情報受付部８０１、認証情報送信部８０２、出金指示受信部８０３、出金指示実行部８０４、受取検出部８０５、受取情報送信部８０６は、ＡＴＭ１２０が備える各部によって実現することができる。
【００７９】
認証情報受付部８０１は、利用者の認証に関する情報の少なくともいずれか一つの入力を受け付ける。具体的には、認証情報受付部８０１は、たとえば、利用者の生体（指紋、声紋、網膜、虹彩、耳の形、掌の皺など）に関する情報や利用者のカードの暗証番号に関する情報などのうちの少なくともいずれか一つの入力を受け付ける。認証情報受付部８０１は、たとえば、指紋リーダ３０９によって生体に関する情報の一つである指紋情報を受け付ける。認証情報受付部８０１は、車両データベース５００に記憶されている出金予約情報に含まれる出金をおこなう際に使用する認証方法を指定する情報が「認証なし」と設定されているときには、利用者の認証に関する情報を受け付けなくてもよい。
【００８０】
認証情報送信部８０２は、認証情報受付部８０１が利用者の認証に関する情報を受け付けた場合、サーバ装置１１０に対して認証を要求する。認証情報送信部８０２は、たとえば、認証情報受付部８０１が受け付けた利用者の認証に関する情報と、当該認証に関する情報の送信を指示した利用者（認証情報受付部８０１が認証を受け付けた利用者）に関する情報と、を含む情報をサーバ装置１１０に送信することにより、サーバ装置１１０に対して認証を要求する。
【００８１】
出金指示受信部８０３は、出金指示情報を受信する。出金指示情報は、サーバ装置１１０から指示された現金の引き出しについての情報であり、出金金額に関する情報を含む。出金金額に関する情報は、当該出金金額に関する情報を受信したＡＴＭ１２０において出金する現金を特定する情報であって、サーバ装置１１０から送信される。出金する現金の額は、たとえば、車両データベース５００における出金予約情報に含まれている情報に基づいて特定される。出金指示情報は、減額後（出金後）の利用者の預貯金口座の残高に関する情報や、出金口に関する情報を含んでいてもよい。
【００８２】
出金指示実行部８０４は、出金指示受信部８０３が出金指示情報を受信した場合、出金指示情報に含まれる出金金額に関する情報に応じた現金を出金口から出金する。また、出金指示実行部８０４は、受信した出金指示情報に残高に関する情報が含まれている場合、減額後の利用者の預貯金口座の残高に関する情報を出力する。具体的には、出金指示実行部８０４は、たとえば、サーバ装置１１０から「現金１万円の引き出し」に対応する出金指示情報を受信した場合、ＡＴＭ１２０内の現金の保管庫から現金１万円を出金口に移動（出金）するとともに、引き出し結果や減額後の利用者の預貯金口座の残高の情報などをディスプレイ３０４やプリンタ３０７に出力する。
【００８３】
また、出金指示実行部８０４は、出金指示受信部８０３が受信した出金指示情報に出金口に関する情報が含まれている場合、出金口に関する情報に応じた出金口から、出金指示情報に含まれる出金金額に関する情報に応じた現金を出金する。車両情報判断部８１７は、該当する車両のハンドルの位置に関する情報に基づいて、当該ハンドルの位置にもっとも近い出金口を特定する。
【００８４】
受取検出部８０５は、出金指示実行部８０４が出金口から出金した現金を、利用者が受け取ったことを検出する。具体的には、受取検出部８０５は、たとえば、センサ３１２の出力変化に基づいて、出金口から出金した現金の存在を検出した後に、当該現金の存在を検出しなくなった場合に、出金した現金を利用者が受け取ったと検出する。受取情報送信部８０６は、受取検出部８０５が出金口から現金の受け取りを検出した場合、該当する利用者が現金を受け取ったことを示す受け取りに関する情報をサーバ装置１１０に送信する。
【００８５】
認証情報受付部８０１は、利用者が所持する口座に対する現金出金サービスに関する情報の入力を受け付けてもよい。現金出金サービスに関する情報は、提供を受けるサービス（たとえば、預貯金口座からの現金の引き出し、振り込み、振替など）を指定（特定）する情報であり、指定（特定）サービスによって該当する預貯金口座から出金される出金金額に関する情報を含んでいる。出金金額に関する情報は、具体的には、たとえば、預貯金口座から引き出す現金の額や、振り込みや振替などによって該当する預貯金口座から出金される金額を特定する情報によって実現することができる。
【００８６】
認証情報受付部８０１が現金出金サービスに関する情報の入力を受け付けた場合、認証情報送信部８０２は、認証情報受付部８０１が受け付けた現金出金サービスに関する情報と、認証情報受付部８０１が認証を受け付けた利用者に関する情報と、を含む情報をサーバ装置１１０に送信する。カードリーダライタ３０８が車両に組み込まれたＩＣチップから車両に関する情報を読み取った場合、認証情報送信部８０２は、当該読み取った車両に関する情報をサーバ装置１１０に送信してもよい。
【００８７】
車両が閉鎖スペース外に移動するための複数の出入り口がある場合、認証情報受付部８０１は、複数の出入り口のうちの車両が閉鎖スペース外に移動するためのシャッターを特定する出口に関する情報を選択する入力を受け付けてもよい。具体的には、認証情報受付部８０１は、受取検出部８０５が現金の受け取りを検出した場合に、複数のシャッターの中からいずれか一つを特定させる情報（出口に関する情報）を表示画面に表示し、表示した情報に基づいていずれか一つのシャッターを選択する入力を受け付けてもよい。受取情報送信部８０６は、受取検出部８０５が現金の受け取りを検出し、かつ認証情報受付部８０１がいずれか一つのシャッターを選択する入力を受け付けた場合、当該受け付けた出口に関する情報を含む現金の受け取りに関する情報をサーバ装置１１０に送信する。
【００８８】
この発明にかかる実施の形態の現金出納システム１００におけるサーバ装置１１０の各機能は、データベース格納部８１０と、予約情報受付部８１１と、利用者特定部８１２と、予約情報登録部８１３と、記憶部８１４と、車両情報取得部８１５と、車両情報判断部８１７、予約情報判断部８１８、認証情報判断部８１９および有効期間判断部８２０を含む判断部８１６と、認証情報受信部８２１と、口座減額部８２２と、出金指示送信部８２４、開放指示送信部８２５および閉鎖指示送信部８２６を含む指示送信部８２３と、受取情報受信部８２７と、移動情報送信部８２８と、によって実現することができる。
【００８９】
サーバ装置１１０の各機能を実現するデータベース格納部８１０、予約情報受付部８１１、利用者特定部８１２、予約情報登録部８１３、記憶部８１４、車両情報取得部８１５、判断部８１６、認証情報受信部８２１、口座減額部８２２、指示送信部８２３、受取情報受信部８２７、移動情報送信部８２８は、サーバ装置１１０が備える各部によって実現することができる。
【００９０】
データベース格納部８１０は、上記の車両データベース５００および口座情報データベースを含む各種のデータベースを格納している。口座情報データベースは、口座番号ごとに、利用者の認証に関する情報、預貯金口座の預貯金の残高、現金の引き出しなどの取引明細の履歴などに関する情報を関連付けて記憶する。
【００９１】
予約情報受付部８１１は、利用者の端末装置１３０から、利用者の識別情報として利用者の口座番号および利用者の口座からの出金をおこなう出金金額に関する情報を含む出金予約情報の入力を受け付ける。また、予約情報受付部８１１は、端末装置１３０から出金予約の有効期間に関する情報の入力を受け付ける。出金予約情報や有効期間に関する情報の入力は、たとえば、現金出納システム１００を運用する金融機関がインターネット上に開設した所定のＷＥＢサイトを介しておこなうことができる。予約情報受付部８１１は、所定のＷＥＢサイトにおいて出金予約情報および出金予約の有効期間に関する情報を受け付けるだけでなく、端末装置１３０から送信される出金予約情報および出金予約の有効期間に関する情報を受け付けてもよい。
【００９２】
利用者の識別情報は、口座番号に限るものでなく、預貯金口座を開設した利用者を特定する情報であればよい。利用者の識別情報は、たとえば、所定のＷＥＢサイトにログインするために金融機関によって一意に割り当てられた利用者ＩＤや利用者の電話番号、電子メールアドレス、端末装置１３０に固有の電話番号や製造番号などを示す情報であってもよい。
【００９３】
利用者特定部８１２は、予約情報受付部８１１が受け付けた利用者の識別情報に基づいて、利用者の口座番号を特定する。また、利用者特定部８１２は、車両情報取得部８１５が取得した車両に関する情報に基づいて、利用者の口座番号を特定する。具体的には、利用者特定部８１２は、車両データベース５００に記憶された情報に基づいて、車両情報取得部８１５が取得した車両に関する情報および予約情報受付部８１１が受け付けた出金予約情報によって指定される利用者の口座番号を特定する。また、利用者特定部８１２は、認証情報受信部８２１が利用者の認証に関する情報を受信した場合は、認証を要求する利用者の口座番号を特定する。また、利用者特定部８１２は、受取情報受信部８２７が現金の受け取りに関する情報を受信した場合は、現金を受け取った利用者の口座番号を特定する。
【００９４】
予約情報登録部８１３は、予約情報受付部８１１が受け付けた出金予約情報を、利用者の口座番号および車両に関する情報に関連付けて車両データベース５００に記憶する。また、予約情報登録部８１３は、予約情報受付部８１１が受け付けた出金予約の有効期間に関する情報を出金予約情報に関連付けて車両データベース５００に記憶する。
【００９５】
記憶部８１４は、利用者の口座番号に、車両に関する情報を関連付けて記憶して、車両データベース５００を更新する。また、記憶部８１４は、予約情報登録部８１３が受け付けた出金予約情報を利用者の口座番号および車両に関する情報を関連付けて記憶して、車両データベース５００を更新する。また、記憶部８１４は、予約情報登録部８１３が受け付けた出金予約の有効期間に関する情報を出金予約情報に関連付けて記憶して、車両データベース５００を更新する。また、記憶部８１４は、利用者の口座番号に、利用者の認証に関する情報を関連付けて記憶して、車両データベース５００を更新する。
【００９６】
また、記憶部８１４は、サーバ装置１１０が構成する各部８１１〜８１３、８１５〜８２８から送信される各種の情報に応じて、口座情報データベースおよび車両データベース５００に記憶されている各種の情報の読み出しをおこなうとともに、口座情報データベースおよび車両データベース５００に記憶されている各種の情報の更新をおこなう。
【００９７】
車両情報取得部８１５は、所定の位置を通過または所定の位置に停車する車両から、車両に関する情報を取得する。車両情報取得部８１５は、具体的には、たとえば、カメラ２０８が撮像した車両のナンバープレートの画像を取得し、公知の画像認識技術により車両のナンバープレートに記載された数字列を特定することによって車両に関する情報を取得する。あるいは、車両情報取得部８１５は、具体的には、たとえば、ＩＣリーダにより車両に組み込まれたＩＣチップに記憶されている情報を読み取ることによって車両に関する情報を取得してもよい。
【００９８】
判断部８１６は、車両情報判断部８１７、予約情報判断部８１８、認証情報判断部８１９、有効期間判断部８２０を含んでいる。車両情報判断部８１７は、車両情報取得部８１５が取得した車両に関する情報が、車両データベース５００に記憶されているか否かを判断する。具体的には、車両情報判断部８１７は、車両情報取得部８１５が取得した車両に関する情報に基づいて、該当するナンバーが、車両データベース５００に記憶されているか否かを判断する。また、車両情報判断部８１７は、該当するナンバーが、車両データベース５００に記憶されている場合、車両のハンドルの位置に関する情報が含まれているか否かを判断してもよい。車両のハンドルの位置に関する情報が含まれている場合は、当該車両のハンドルの位置に関する情報に基づいて、出金口のいずれか一つを特定することができる。
【００９９】
より具体的には、車両情報判断部８１７は、車両のハンドル位置に関する情報が右または左を示す場合、ハンドルの位置が右または左である車両の運転席から容易に現金を取り出せる位置に配置されている出金口を一つ特定する。また、車両情報判断部８１７は、車両に関する情報に車両のハンドルの位置に関する情報が含まれていない場合、ハンドルの位置が右である車両の運転席から容易に現金を取り出せる位置に配置されている出金口を一つ特定してもよい。
【０１００】
予約情報判断部８１８は、車両情報判断部８１７が、車両情報取得部８１５が取得した車両に関する情報が車両データベース５００に記憶されていると判断した場合、車両に関する情報に、出金予約情報が関連付けて記憶されているか否かを判断する。具体的には、予約情報判断部８１８は、車両情報判断部８１７が、車両情報取得部８１５が取得した車両に関する情報に基づいて特定される車両のナンバーが、車両データベース５００に記憶されていると判断した場合、当該車両に関する情報に、出金予約情報が関連付けて記憶されているか否かを判断する。
【０１０１】
認証情報判断部８１９は、認証情報受信部８２１が受信した利用者の認証に関する情報が、車両データベース５００または口座情報データベースに記憶された利用者の認証に関する情報と一致するか否かを判断する。具体的には、認証情報判断部８１９は、認証情報受信部８２１が受信した利用者の認証に関する情報が利用者のカードの暗証番号である場合には、暗証番号が一致するか否かを判断する。また、具体的には、認証情報判断部８１９は、認証情報受信部８２１が受信した利用者の認証に関する情報が利用者の生体（指紋、声紋、網膜、虹彩、耳の形、掌の皺、顔など）に関する情報である場合には、当該受信した利用者の生体に関する情報が車両データベース５００または口座情報データベースに記憶された利用者の生体に関する情報と１００％一致しなくても、たとえば、８０％〜９０％などの所定の確率が一致していれば、利用者の生体に関する情報が一致したものと判断してもよい。
【０１０２】
また、認証情報判断部８１９は、車両データベース５００に記憶されている出金予約情報に認証方法を指定する情報が含まれている場合、認証方法を指定する情報によって指定される利用者の認証に関する情報のみが一致するか否かを判断してもよい。具体的には、認証方法を指定する情報によって指紋による認証が指定されている状態で、認証情報受信部８２１が暗証番号による利用者の認証に関する情報を受信した場合、指紋による利用者の認証に関する情報のみが一致するか否かを判断して、暗証番号による利用者の認証に関する情報が一致するか否かを判断しない。また、認証情報判断部８１９は、認証方法を指定する情報が「認証なし」と設定されているときには、利用者の認証に関する情報が一致するか否かを判断しなくてもよい。この場合、認証情報受信部８２１において、利用者の認証に関する情報を受信しなくてもよい。
【０１０３】
有効期間判断部８２０は、予約情報判断部８１８が車両データベース５００に出金予約情報が記憶されていると判断した場合、車両データベース５００に記憶されている出金予約の有効期間に関する情報を参照して、出金予約の有効期間内に、車両情報取得部８１５が車両に関する情報を取得したか否かを判断する。
【０１０４】
認証情報受信部８２１は、ＡＴＭ１２０から送信される利用者の認証に関する情報を受信する。また、認証情報受信部８２１は、出金をおこなう際に使用する認証方法を指定する情報が「認証なし」と設定されているときには、利用者の認証に関する情報を受信しなくてもよい。
【０１０５】
口座減額部８２２は、予約情報判断部８１８が車両データベース５００に出金予約情報が記憶されていると判断した場合、出金予約情報に含まれる出金金額に関する情報に応じた金額を利用者の口座から減額する。また、口座減額部８２２は、減額後の利用者の預貯金残高に関する情報を抽出する。具体的には、口座情報データベースに記憶されている利用者の預貯金口座の残高が５０万円であったときに、利用者が現金１万円の引き出しをおこなった場合、利用者の預貯金口座の残高から１万円を減額して、口座情報データベースの利用者の預貯金口座の残高を４９万円に更新するとともに、４９万円という減額後の利用者の預貯金口座の残高に関する情報を抽出する。
【０１０６】
また、口座減額部８２２は、車両データベース５００に記憶されている認証方法を指定する情報が「認証なし」と設定されており、かつ、予約情報判断部８１８が車両データベース５００に出金予約情報が記憶されていると判断した場合は、認証情報判断部８１９による認証をおこなわずに、出金予約情報に含まれる出金金額に関する情報に応じた金額を利用者の口座から減額する。
【０１０７】
また、口座減額部８２２は、認証方法を指定する情報によって認証方法が設定されているときに、予約情報判断部８１８が車両データベース５００に出金予約情報が記憶されていると判断し、かつ認証情報判断部８１９が利用者の認証に関する情報が一致すると判断した場合、出金予約情報に含まれる出金金額に関する情報に応じた金額を利用者の口座から減額する。
【０１０８】
また、口座減額部８２２は、車両データベース５００に出金予約の有効期間に関する情報が記憶されているときに、予約情報判断部８１８が車両データベース５００に出金予約情報が記憶されていると判断し、かつ有効期間判断部８２０が出金予約の有効期間内に車両に関する情報を取得したと判断した場合、出金予約情報に含まれる出金金額に関する情報に応じた金額を利用者の口座から減額する。
【０１０９】
出金指示送信部８２４は、予約情報判断部８１８が車両データベース５００に出金予約情報が記憶されていると判断した場合、出金金額に関する情報を含む出金指示情報をＡＴＭ１２０に送信する。また、出金指示送信部８２４は、口座減額部８２２が抽出した減額後の利用者の預貯金残高に関する情報をＡＴＭ１２０に送信する。
【０１１０】
出金指示送信部８２４は、車両データベース５００に記憶されている認証方法を指定する情報が「認証なし」と設定されているとき、予約情報判断部８１８が車両データベース５００に出金予約情報が記憶されていると判断した場合、認証情報判断部８１９による認証をおこなわずに、出金金額に関する情報を含む出金指示情報をＡＴＭ１２０に送信する。
【０１１１】
また、出金指示送信部８２４は、車両データベース５００に記憶されている認証方法を指定する情報によって、本人認証をおこなうことが設定されているときに、予約情報判断部８１８が車両データベース５００に出金予約情報が記憶されていると判断し、かつ認証情報判断部８１９が利用者の認証に関する情報が一致すると判断した場合、出金金額に関する情報を含む出金指示情報をＡＴＭ１２０に送信する。
【０１１２】
また、出金指示送信部８２４は、車両データベース５００に出金予約の有効期間に関する情報が記憶されているときに、予約情報判断部８１８が車両データベース５００に出金予約情報が記憶されていると判断し、かつ有効期間判断部８２０が出金予約の有効期間内に車両に関する情報を取得したと判断した場合、出金金額に関する情報を含む出金指示情報をＡＴＭ１２０に送信する。
【０１１３】
また、出金指示送信部８２４は、予約情報判断部８１８が車両データベース５００に出金予約情報が記憶されていると判断し、かつ車両情報判断部８１７が車両データベース５００に記憶されている車両に関する情報に車両のハンドルの位置に関する情報が含まれていると判断した場合、車両情報判断部８１７が特定した出金口に関する情報および出金金額に関する情報を含む出金指示情報をＡＴＭ１２０に送信する。これによって、ハンドルの位置に関係なく、利用者が運転席から出金口から出された現金を容易に手にすることができる。
【０１１４】
開放指示送信部８２５は、所定の位置に車両が停車したことが検出され、かつ予約情報判断部８１８が車両データベース５００に出金予約情報が記憶されていると判断した場合、シャッターを開放させるシャッター開放指示を送信する。また、開放指示送信部８２５は、受取情報受信部８２７が現金の受け取りに関する情報を受信した場合、シャッター開放指示を送信する。具体的には、開放指示送信部８２５は、シャッターを開閉させるモータ２１０または当該モータ２１０を制御するコンピュータ装置にシャッター開放指示を送信する。
【０１１５】
閉鎖指示送信部８２６は、開放指示送信部８２５がシャッター開放指示を送信した後に、閉鎖スペース内に車両が検出された場合、シャッターを閉鎖させるシャッター閉鎖指示を送信する。また、閉鎖指示送信部８２６は、受取情報受信部８２７が現金の受け取りに関する情報を受信した後に、開放指示送信部８２５がシャッター開放指示を送信して、閉鎖スペース内に車両が検出されなくなった場合、シャッター閉鎖指示を送信する。具体的には、閉鎖指示送信部８２６は、シャッターを開閉させるモータ２１０または当該モータ２１０を制御するコンピュータ装置にシャッター閉鎖指示を送信する。受取情報受信部８２７は、ＡＴＭ１２０から送信される現金の受け取りに関する情報を受信する。
【０１１６】
移動情報送信部８２８は、停車パレットを移動させるモータ２１０または当該モータ２１０を制御するコンピュータ装置に、所定の位置と閉鎖スペースとの間で停車パレットを移動させる指示を送信する。具体的には、移動情報送信部８２８は、閉鎖スペース内に車両が検出されず、かつ開放指示送信部８２５がシャッター開放指示を送信した場合、所定の位置から閉鎖スペースまで停車パレットを移動させる指示を送信する。これにより、停車パレット上に停車した車両を閉鎖スペース内に移動させることができる。
【０１１７】
また、具体的には、移動情報送信部８２８は、閉鎖スペース内に車両が検出され、かつ受取情報受信部８２７が現金の受け取りに関する情報を受信した後に開放指示送信部８２５がシャッター開放指示を送信した場合、閉鎖スペースから所定の位置まで停車パレットを移動させる指示を送信する。これにより、利用者が閉鎖スペース内で現金を受け取り、シャッターが開放された後に、停車パレット上に停車した車両を閉鎖スペース外に移動させることができる。
【０１１８】
車両データベース５００において、車両のハンドルの位置に関する情報を含む車両に関する情報が記憶されている場合、車両情報判断部８１７は、車両のハンドルの位置に関する情報に基づいて、ＡＴＭ１２０（あるいはＡＴＭ１２０における出金口）の移動場所を特定してもよい。この場合、指示送信部８２３は、ＡＴＭ１２０を載せた台座を移動させるモータ２１０または当該モータ２１０を制御するコンピュータ装置に対して、車両情報判断部８１７が特定したＡＴＭ１２０の移動場所に移動させる台座移動指示を送信する。これによって、車両のハンドルの位置に関する情報に応じて、利用者が乗車する車両の運転席の近くにＡＴＭ１２０を移動させることができる。これによって、たとえば、左ハンドルの車両であっても、利用者は、容易に運転席からＡＴＭ１２０を操作したり、運転席から現金を受け取ったりすることができる。
【０１１９】
出金指示送信部８２４は、車両データベース５００に記憶されている車両に関する情報に車両のハンドルの位置に関する情報が含まれており、かつ車両情報判断部８１７が車両に関する情報が車両データベース５００に記憶されていると判断した場合、車両情報判断部８１７が特定した出金口に関する情報および出金指示情報をＡＴＭ１２０に送信する。この場合、開放指示送信部８２５は、所定の位置に車両が停車したことが検出され、かつ車両に関する情報が車両データベース５００に記憶されていると判断した場合、シャッターを開放させるシャッター開放指示を送信する。
【０１２０】
受取情報受信部８２７は、ＡＴＭ１２０から送信される現金の受け取りに関する情報を受信してもよい。現金の受け取りに関する情報は、複数の出入り口のうちの車両が閉鎖スペース外に移動するためのシャッターを特定する出口に関する情報を含んでいてもよい。この場合、開放指示送信部８２５は、受取情報受信部８２７が現金の受け取りに関する情報を受信した場合、当該シャッターを特定する出口に関する情報に対応するシャッターを開放させる指示を送信する。これによって、利用者が現金を受け取った後に、複数の出入り口のうちの車両が入った出入り口とは異なる出入り口に対応するシャッターを開放させることができる。
【０１２１】
（サーバ装置１１０の処理手順）
つぎに、この発明にかかる実施の形態の現金出納システム１００が備えるサーバ装置１１０の処理手順について説明する。図９は、この発明にかかる実施の形態の現金出納システム１００が備えるサーバ装置１１０の処理手順を示すフローチャートである。
【０１２２】
図９のフローチャートにおいて、まず、サーバ装置１１０は、所定の位置を通過または所定の位置に停車する車両から、車両に関する情報を取得したか否かを判断する（ステップＳ９０１）。ステップＳ９０１において、サーバ装置１１０は、車両に関する情報を取得するのを待って（ステップＳ９０１：Ｎｏ）、車両に関する情報を取得した場合（ステップＳ９０１：Ｙｅｓ）、取得した車両に関する情報が、車両データベース５００に記憶されているか否かを判断する（ステップＳ９０２）。ステップＳ９０２において、取得した車両に関する情報が、車両データベース５００に記憶されていないと判断した場合（ステップＳ９０２：Ｎｏ）、以降の処理を終了する。
【０１２３】
ステップＳ９０２において、サーバ装置１１０は、取得した車両に関する情報が、車両データベース５００に記憶されていると判断した場合に（ステップＳ９０２：Ｙｅｓ）、車両に関する情報に、出金予約情報が関連付けて車両データベース５００に記憶されているか否かを判断する（ステップＳ９０３）。ステップＳ９０３において、サーバ装置１１０は、車両に関する情報に、出金予約情報が関連付けて車両データベース５００に記憶されていないと判断した場合（ステップＳ９０３：Ｎｏ）、以降の処理を終了する。
【０１２４】
ステップＳ９０３において、サーバ装置１１０は、車両に関する情報に、出金予約情報が関連付けて車両データベース５００に記憶されていると判断した場合に（ステップＳ９０３：Ｙｅｓ）、車両データベース５００に記憶されている出金予約の有効期間に関する情報を参照して、出金予約の有効期間内に車両に関する情報を取得したか否かを判断する（ステップＳ９０４）。ステップＳ９０４において、出金予約の有効期間内に車両に関する情報を取得しなかったと判断した場合に（ステップＳ９０４：Ｎｏ）、以降の処理を終了する。
【０１２５】
ステップＳ９０４において、サーバ装置１１０は、出金予約の有効期間内に車両に関する情報を取得したと判断した場合に（ステップＳ９０４：Ｙｅｓ）、車両が停車パレットの上などの所定の位置に停車したことが検出されたか否かを判断する（ステップＳ９０５）。ステップＳ９０５において、車両が所定の位置に停車されたことが検出されるまで待って（ステップＳ９０５：Ｎｏ）、所定の位置に停車されたことが検出された場合（ステップＳ９０５：Ｙｅｓ）、シャッター開放指示をシャッターを開閉させるモータ２１０または当該モータ２１０を制御するコンピュータ装置に送信する（ステップＳ９０６）。
【０１２６】
つぎに、サーバ装置１１０は、閉鎖スペース内に車両が検出されていないことを確認し、停車パレットを移動させるモータ２１０または当該モータ２１０を制御するコンピュータ装置に、所定の位置から閉鎖スペースへ停車パレットを移動させる指示を送信する（ステップＳ９０７）。サーバ装置１１０は、シャッター付近に車以外に何も検出されていないかを判断して（ステップＳ９０８）、車以外に何か検出した場合には何も検出されなくなるまで待って（ステップＳ９０８：Ｎｏ）、車以外に何も検出されていない場合（ステップＳ９０８：Ｙｅｓ）、シャッター閉鎖指示をシャッターを開閉させるモータ２１０または当該モータ２１０を制御するコンピュータ装置に送信する（ステップＳ９０９）。
【０１２７】
サーバ装置１１０は、ＡＴＭ１２０を車両の運転席側に移動させる指示を、ＡＴＭ１２０を載せている台座を移動させるモータ２１０または当該モータ２１０を制御するコンピュータ装置に送信する（ステップＳ９１０）。これにより、ＡＴＭ１２０が車両の運転席の近くに移動して、運転席にいる利用者から操作可能な位置に配置される。また、停車パレットが閉鎖スペース内に移動したときに、運転席から操作可能な位置にＡＴＭ１２０が配置されていてもよい。
【０１２８】
つぎに、サーバ装置１１０は、ＡＴＭ１２０に、本人認証をおこなうための利用者の認証に関する情報を選択させる選択画面（表示画面６０１）を表示する指示を送信する（ステップＳ９１１）。サーバ装置１１０は、ＡＴＭ１２０から送信される利用者の認証に関する情報を受信したか否かを判断する（ステップＳ９１２）。
【０１２９】
ステップＳ９１２において、利用者の認証に関する情報を受信するまで待って（ステップＳ９１２：Ｎｏ）、利用者の認証に関する情報を受信した場合（ステップＳ９１２：Ｙｅｓ）、車両データベース５００または口座データベースに記憶されている利用者の認証に関する情報と一致するか否かを判断する（ステップＳ９１３）。利用者の認証に関する情報が一致しない場合（ステップＳ９１３：Ｎｏ）、認証失敗情報をＡＴＭ１２０に送信して、ステップＳ９１２へ戻る。
【０１３０】
ステップＳ９１３において、サーバ装置１１０は、利用者の認証に関する情報が一致する場合（ステップＳ９１３：Ｙｅｓ）、ＡＴＭ１２０に認証成功情報を送信して、口座情報データベースに記憶されている利用者の預貯金口座の残高から出金予約情報に含まれる出金金額に関する情報に応じた金額を減額するとともに（ステップＳ９１４）、出金金額に関する情報を含む出金指示情報をＡＴＭ１２０に送信する（ステップＳ９１５）。
【０１３１】
つぎに、サーバ装置１１０は、ＡＴＭ１２０から送信される現金の受け取りに関する情報を受信したか否かを判断する（ステップＳ９１６）。現金の受け取りに関する情報を受信するまで待って（ステップＳ９１６：Ｎｏ）、現金の受け取りに関する情報を受信した場合（ステップＳ９１６：Ｙｅｓ）、シャッター開放指示をシャッターを開閉させるモータ２１０または当該モータ２１０を制御するコンピュータ装置に送信する（ステップＳ９１７）。サーバ装置１１０は、所定の位置に何も検出されていないかを確認して、停車パレットを移動させるモータ２１０または当該モータ２１０を制御するコンピュータ装置に、閉鎖スペースから所定の位置へ停車パレットを移動させる指示を送信する（ステップＳ９１８）。
【０１３２】
つぎに、サーバ装置１１０は、閉鎖スペース内に車両が検出されていないことを確認する（ステップＳ９１９）。閉鎖スペース内に車両が検出されなくなるまで待って（ステップＳ９１９：Ｎｏ）、閉鎖スペース内に車両が検出されなくなった場合（ステップＳ９１９：Ｙｅｓ）、シャッター閉鎖指示をシャッターを開閉させるモータ２１０または当該モータ２１０を制御するコンピュータ装置に送信して（ステップＳ９２０）、一連の処理を終了する。
【０１３３】
図９のステップＳ９０３において、サーバ装置１１０は、車両に関する情報に、出金予約情報が関連付けて車両データベース５００に記憶されていないと判断した場合、ステップＳ９０５に移行して、以降の処理を継続してもよい。この場合、サーバ装置１１０は、ステップＳ９１２において、ＡＴＭ１２０から送信される利用者の認証に関する情報と、出金金額に関する情報を含む現金出金サービスに関する情報とを受信して（ステップＳ９１２：Ｙｅｓに相当）、ステップＳ９１３において、利用者の認証に関する情報が一致すると判断した場合、ＡＴＭ１２０に認証成功情報を送信して、口座情報データベースに記憶されている利用者の預貯金口座の残高から現金出金サービス情報に含まれる出金金額に関する情報に応じた金額を減額する（ステップＳ９１４に相当）とともに、出金金額に関する情報を含む出金指示情報をＡＴＭ１２０に送信する（ステップＳ９１５に相当）。
【０１３４】
（ＡＴＭ１２０の処理手順）
つぎに、この発明にかかる実施の形態の現金出納システム１００が備えるＡＴＭ１２０の処理手順について説明する。図１０は、この発明にかかる実施の形態の現金出納システム１００が備えるＡＴＭ１２０の処理手順を示すフローチャートである。
【０１３５】
図１０のフローチャートにおいて、まず、ＡＴＭ１２０は、サーバ装置１１０から送信される認証方法の選択画面を表示する指示を受信したか否かを判断する（ステップＳ１００１）。ＡＴＭ１２０は、認証方法の選択画面を表示する指示を受信するのを待って（ステップＳ１００１：Ｎｏ）、認証方法の選択画面を表示する指示を受信した場合に（ステップＳ１００１：Ｙｅｓ）、認証方法の選択画面（表示画面６０１）をディスプレイ３０４に表示する（ステップＳ１００２）。認証方法の選択画面において、認証情報を選択すると、表示画面６０２のように利用者の認証に関する情報の入力が促され、ＡＴＭ１２０は、利用者の認証に関する情報の入力を受け付けたか否かを判断する（ステップＳ１００３）。
【０１３６】
ステップＳ１００３において、ＡＴＭ１２０は、利用者の認証に関する情報の入力を待って（ステップＳ１００３：Ｎｏ）、利用者の認証に関する情報の入力を受け付けた場合（ステップＳ１００３：Ｙｅｓ）、受け付けた利用者の認証に関する情報をサーバ装置１１０に送信して、正常に認証されたか否かを判断する（ステップＳ１００４）。具体的には、ＡＴＭ１２０は、サーバ装置１１０から送信される認証成功情報を受信した場合に、正常に認証されたと判断し、認証失敗情報を受信した場合に、正常に認証されなかったと判断する。正常に認証されなかった場合に（ステップＳ１００４：Ｎｏ）、ステップＳ１００３へ戻る。
【０１３７】
ステップＳ１００４において、ＡＴＭ１２０は、サーバ装置１１０から認証成功情報を受信した場合に（ステップＳ１００４：Ｙｅｓ）、出金指示情報を受信したか否かを判断する（ステップＳ１００５）。ＡＴＭ１２０は、出金指示情報を受信するのを待って（ステップＳ１００５：Ｎｏ）、出金指示情報を受信した場合に（ステップＳ１００５：Ｙｅｓ）、出金指示情報に含まれる出金金額に関する情報に応じた現金をＡＴＭ１２０の金庫から出金口に移動させ（ステップＳ１００６）、出金口の扉を開く（ステップＳ１００７）。
【０１３８】
つぎに、ＡＴＭ１２０は、出金口から出金した現金の受け取りを検出したか否かを判断する（ステップＳ１００８）。現金の受け取りを検出するのを待って（ステップＳ１００８：Ｎｏ）、現金の受け取りを検出した場合に（ステップＳ１００８：Ｙｅｓ）、現金の受取に関する情報をサーバ装置１１０に送信して（ステップＳ１００９）、出金口の扉を閉じて、一連の処理を終了する。
【０１３９】
ステップＳ１００１において、認証方法の選択画面を表示する指示を受信し、ステップＳ１００２において、認証方法の選択画面を表示した後に、ステップＳ１００３において、利用者の認証に関する情報の入力を受け付けているが、これには限定されず、たとえば、認証方法の選択画面を表示する指示を受信しなくても、利用者の認証に関する情報の入力を受け付けてもよい。
【０１４０】
車両データベース５００に記憶されている出金予約情報に含まれている出金をおこなう際に使用する認証方法を指定する情報が「認証なし」に設定されているときには、ステップＳ１００１〜ステップＳ１００４のＡＴＭ１２０の処理は不要となり、ＡＴＭ１２０は、ステップＳ１００５から処理を開始する。これによって、利用者は、本人認証をおこなわずに、現金を受け取ることができる。ステップＳ１００３において、ＡＴＭ１２０は、利用者の認証に関する情報の入力を受け付けた後に、ステップＳ１００４において、認証成功情報を受信せずに、ステップＳ１００５において、出金指示情報を受信してもよい。
【０１４１】
なお、ステップＳ１００３において、ＡＴＭ１２０は、利用者の認証に関する情報の入力だけでなく、利用者が所持する口座に対する出金金額に関する情報を含む現金出金サービスに関する情報の入力を受け付けてもよい。具体的には、ＡＴＭ１２０は、表示画面に現金の引き出し、振り込み、振替などを特定できる情報を表示して、出金金額に関する情報を含む現金出金サービスに関する情報の入力を受け付ける。この場合、ＡＴＭ１２０は、受け付けた利用者の認証に関する情報と、出金金額に関する情報を含む現金出金サービスに関する情報とをサーバ装置１１０に送信する。
【０１４２】
（端末装置１３０の処理手順）
つぎに、この発明にかかる実施の形態の現金出納システム１００が備える端末装置１３０の処理手順について説明する。図１１は、この発明にかかる実施の形態の現金出納システム１００が備える利用者の端末装置１３０の処理手順を示すフローチャートである。
【０１４３】
図１１のフローチャートにおいて、まず、利用者の端末装置１３０から、利用者を特定するログインＩＤやカード情報などの利用者の識別情報の入力を受け付けたか否かを判断する。（ステップＳ１１０１）。利用者の端末装置１３０から、利用者の識別情報の入力を受け付けるのを待って（ステップＳ１１０１：Ｎｏ）、利用者の識別情報の入力を受け付けた場合（ステップＳ１１０１：Ｙｅｓ）、利用者の識別情報を送信して、現金出納システム１００を運用する金融機関がインターネット上に開設した所定のＷＥＢサイトにアクセスする。サーバ装置１１０において、端末装置１３０が送信した利用者の識別情報に基づいて、利用者が特定されると、端末装置１３０は、所定のＷＥＢサイトのサービスが利用可能となる（表示画面７０１）。
【０１４４】
端末装置１３０は、「出金予約を登録する」キーを選択する入力を受け付けたか否かを判断する（ステップＳ１１０２）。端末装置１３０から「出金予約を登録する」キーが選択されるのを待って（ステップＳ１１０２：Ｎｏ）、端末装置１３０から「出金予約を登録する」キーが選択された場合（ステップＳ１１０２：Ｙｅｓ）、端末装置１３０は、出金予約情報を入力するための入力画面（表示画面７０２）をディスプレイ４０６に表示する（ステップＳ１１０３）。
【０１４５】
つぎに、端末装置１３０は、出金金額に関する情報、出金予約の有効期間に関する情報、本人認証をおこなう認証方法に関する情報などの入力を受け付ける（ステップＳ１１０４）。端末装置１３０は、「登録」キーが操作されたか否かを判断する（ステップＳ１１０５）。「登録」キーが操作されるのを待って（ステップＳ１１０５：Ｎｏ）、端末装置１３０から「登録」キーが操作された場合（ステップＳ１１０５：Ｙｅｓ）、出金金額に関する情報を含む出金予約情報、出金予約の有効期間に関する情報、本人認証をおこなう認証方法に関する情報などをサーバ装置１１０に送信して（ステップＳ１１０６）、一連の処理を終了する。
【０１４６】
ステップＳ１１０４において、出金予約の有効期間に関する情報の入力がされなかった場合に、出金予約の有効期間なしとしてもよく、システム所定の有効期間としてもよい。また、ステップＳ１１０４において、本人認証をおこなう認証方法に関する情報を指定しなかった場合に、利用者が出金時にＡＴＭ１２０から認証方法に関する情報を選択できるようにしてもよい。
【０１４７】
金融機関において、所定のＷＥＢサイトを利用するための利用者ＩＤおよび当該利用者ＩＤに対応するパスワードが設定されている場合には、ステップＳ１１０１において、端末装置１３０は、利用者ＩＤおよびパスワードの入力を受け付けてもよい。この場合、ステップＳ１１０２において、端末装置１３０が送信した利用者ＩＤおよびパスワードがサーバ装置１１０において正しく認証されたときに、利用者が特定されて、端末装置１３０は、サーバ装置１１０から送信された認証成功情報を受信して、所定のＷＥＢサイトのサービスが利用可能となる。
【０１４８】
以上において、車両は、自動車であることを前提に説明したが、車両は、自動車だけでなく、オートバイ、原動機付き自転車などでもよい。この場合、オートバイ、原動機付き自転車の後部に設置されたナンバープレートが撮像される。また、車両は、車両に関する情報が記憶されたＩＣチップが組み込まれたオートバイ、原動機付き自転車、自転車などの軽車両、歩行補助車、車椅子、乳母車などの小児用の車であってもよい。さらに、車両の代わりに、車両に関する情報が記憶されたＩＣチップが組み込まれた腕時計、リストバンドやネックレスなどの装飾品や装身具、携帯電話やスマートフォンなどの端末装置、衣服などを着用または所持した人間でもよく、当該ＩＣチップが組み込まれた人体でもよい。
【０１４９】
以上説明したように、この発明にかかる実施の形態の現金出納システム１００は、金融機関の現金出納サービスを提供する現金取引装置（ＡＴＭ１２０）と、当該ＡＴＭ１２０と通信可能なサーバ装置１１０と、を備えた現金出納システムであって、サーバ装置１１０が、利用者が所持する口座の口座番号ごとに、車両に関する情報を関連付けて記憶する車両データベース５００と、利用者の端末装置から、利用者の口座番号および口座からの出金をおこなう出金金額に関する情報を含む出金予約情報の入力を受け付ける予約情報受付部８１１と、予約情報受付部８１１が受け付けた出金予約情報を、利用者の口座番号および車両に関する情報に関連付けて車両データベース５００に記憶する予約情報登録部８１３と、所定の位置を通過または所定の位置に停車する車両から、当該車両に関する情報を取得する車両情報取得部８１５と、車両情報取得部８１５が取得した車両に関する情報が、車両データベース５００に記憶されているか否かを判断する車両情報判断部８１７と、車両情報判断部８１７が車両に関する情報が記憶されていると判断した場合、車両に関する情報に、出金予約情報が関連付けて車両データベース５００に記憶されているか否かを判断する予約情報判断部８１８と、予約情報判断部８１８が出金予約情報が記憶されていると判断した場合、出金金額に関する情報に応じた金額を利用者の口座から減額する口座減額部８２２と、予約情報判断部８１８が出金予約情報が記憶されていると判断した場合、出金金額に関する情報を含む出金指示情報をＡＴＭ１２０に送信する出金指示送信部８２４と、を備えている。
【０１５０】
この発明にかかる実施の形態の現金出納システム１００は、ＡＴＭ１２０が、サーバ装置１１０から送信される出金指示情報を受信する出金指示受信部８０３と、出金指示受信部８０３が出金指示情報を受信した場合、出金金額に関する情報に応じた現金を出金口から出金する出金指示実行部８０４と、を備えたことを特徴としている。
【０１５１】
この発明にかかる実施の形態の現金出納システム１００によれば、現金の引き出しに車で行く際に、車から降りずにドライブスルー感覚で自身の口座から現金の引き出しをおこなうことができる。これにより、車での移動をともなっておこなう現金取引装置からの現金の引き出しをおこなう利用者の利便性の向上を図ることができる。
【０１５２】
また、この発明にかかる実施の形態の現金出納システム１００によれば、車両に関する情報が事前に登録されているので、現金取引装置にカードを挿入することなく現金の引き出しをおこなうことができる。すなわち、利用者は、あらかじめ出金予約をしておくことで、カードを持って行くことなく、現金の引き出しをおこなうことができる。これにより、カードが紛失するリスクを軽減することができる。また、あらかじめ出金予約をしておくことで、ＡＴＭ１２０の前では、本人認証の必要がないのみならず、ＡＴＭ１２０の操作をせずに、予約した出金金額に応じた現金を受け取ることができる。これにより、車での移動をともなっておこなう現金取引装置からの現金の引き出しをおこなう利用者の利便性の向上を図ることができる。
【０１５３】
また、この発明にかかる実施の形態の現金出納システム１００によれば、現金を引き出す利用者は、第三者と接触することなく車両に乗ったまま現金を引き出すことができる。これにより、現金取引装置からの現金の引き出しをおこなう際に、引き出した現金を奪われる機会を減らし、防犯性の向上を図ることができる。
【０１５４】
また、この発明にかかる実施の形態の現金出納システム１００によれば、車を運転することができない（もしくは運転免許を持っていない）利用者であっても、当該利用者以外の第三者であって車を運転することができる第三者が利用する車を登録しておくことで、当該第三者に現金の受け取りをおこなわせることができる。これにより、車を運転できる、第三者に暗証番号などを教えることなく、現金の引き出しを依頼することもできる。
【０１５５】
また、この発明にかかる実施の形態の現金出納システム１００は、車両データベース５００が、口座番号に利用者の生体に関する情報および口座の暗証番号に関する情報の少なくともいずれか一つを含む利用者の認証に関する情報を関連付けて記憶し、ＡＴＭ１２０が、利用者の認証に関する情報の少なくともいずれか一つの入力を受け付ける認証情報受付部８０１と、認証情報受付部８０１が受け付けた利用者の認証に関する情報をサーバ装置１１０に送信する認証情報送信部８０２と、を備え、サーバ装置１１０が、ＡＴＭ１２０から送信される利用者の認証に関する情報を受信する認証情報受信部８２１と、認証情報受信部８２１が受信した利用者の認証に関する情報が、車両データベース５００に記憶された利用者の認証に関する情報と一致するか否かを判断する認証情報判断部８１９と、を備え、口座減額部８２２が、予約情報判断部８１８が出金予約情報が記憶されていると判断し、かつ認証情報判断部８１９が利用者の認証に関する情報が一致すると判断した場合、出金金額に関する情報に応じた金額を利用者の口座から減額し、出金指示送信部８２４が、予約情報判断部８１８が出金予約情報が記憶されていると判断し、かつ認証情報判断部８１９が利用者の認証に関する情報が一致すると判断した場合、出金指示情報をＡＴＭ１２０に送信することを特徴としている。
【０１５６】
この発明にかかる実施の形態の現金出納システム１００によれば、利用者の車両のナンバープレートの番号など車両に関する情報を用いて利用者を特定することに加えて、当該車両に乗車する利用者の指紋や声紋などの生体情報や暗証番号を用いた認証をおこなうことにより、利用者の車両やナンバープレートが盗難もしくは偽装されたとしても、利用者本人のなりすましを防止し、セキュリティ性を上げることができる。
【０１５７】
利用者の指紋を用いた認証は、指紋リーダ３０９に利用者の手指をかざすだけでおこなうことができ、利用者の声紋を用いた認証は、マイク３１１に向かって発声するだけでおこなうことができる。このように、生体情報を用いた認証は、認証にかかる情報を複数のキーを操作して入力する場合と比較して、認証に用いる情報（生体情報）の入力にかかる利用者の負担を抑えることができる。
【０１５８】
この発明にかかる実施の形態の現金出納システム１００によれば、車両に乗車する利用者の指紋や声紋などの生体情報を用いた認証をおこなうことにより、車での移動をともなっておこなう現金取引装置からの現金の引き出しに際しての高いセキュリティ性を確保するとともに、認証にかかる利用者の負担を抑えることができるので、現金の引き出しをおこなう利用者の利便性の向上を図ることができる。
【０１５９】
また、この発明にかかる実施の形態の現金出納システム１００は、予約情報受付部８１１が、端末装置から出金予約の有効期間に関する情報の入力を受け付け、予約情報登録部８１３が、予約情報受付部８１１が受け付けた出金予約の有効期間に関する情報を出金予約情報に関連付けて車両データベース５００に記憶し、サーバ装置１１０が、予約情報判断部８１８が出金予約情報が記憶されていると判断した場合、車両データベース５００に記憶されている出金予約の有効期間に関する情報を参照して、出金予約の有効期間内に、車両情報取得部８１５が車両に関する情報を取得したか否かを判断する有効期間判断部８２０を備え、口座減額部８２２が、予約情報判断部８１８が出金予約情報が記憶されていると判断し、かつ有効期間判断部８２０が出金予約の有効期間内に車両に関する情報を取得したと判断した場合、出金金額に関する情報に応じた金額を利用者の口座から減額し、出金指示送信部８２４が、予約情報判断部８１８が出金予約情報が記憶されていると判断し、かつ有効期間判断部８２０が出金予約の有効期間内に車両に関する情報を取得したと判断した場合、出金指示情報をＡＴＭ１２０に送信することを特徴としている。
【０１６０】
この発明にかかる実施の形態の現金出納システム１００によれば、出金予約の有効期間を定めることで、有効期間を過ぎた出金予約に対する出金を防止し、車を利用者以外が運転するときなどに利用者以外の他人による出金を防止することができるので、セキュリティ性を高めることができる。たとえば、利用者が本日中の有効期間の出金をおこなう出金予約をした場合に、本日のつぎの日以降の出金を受け付けないので、つぎの日に利用者以外の他人が車を運転する場合であっても、他人による出金を防止することができるので、セキュリティ性を上げることができる。
【０１６１】
また、この発明にかかる実施の形態の現金出納システム１００は、車両に関する情報が、車両のハンドルの位置に関する情報を含み、出金口が、車両が通過または停車する所定の位置の両側に少なくとも一つずつ設けられ、車両情報判断部８１７が、車両のハンドルの位置に関する情報に基づいて、出金口のいずれか一つを特定し、出金指示送信部８２４が、予約情報判断部８１８が出金予約情報が記憶されていると判断した場合、車両情報判断部８１７が特定した出金口に関する情報を含む出金指示情報をＡＴＭ１２０に送信し、出金指示実行部８０４が、現金を出金口に関する情報に応じた出金口から出金することを特徴としている。
【０１６２】
この発明にかかる実施の形態の現金出納システム１００によれば、利用者の運転する車両のハンドルの位置に応じた出金口から現金を出金させることができる。これによって、たとえば、左ハンドルの車両の利用者がシートベルトを外さずに運転席に座ったままで容易に現金を受け取ることができる。これにより、車での移動をともなっておこなう現金取引装置からの現金の引き出しをおこなう利用者の利便性の向上を図ることができる。
【０１６３】
また、この発明にかかる実施の形態の現金出納システム１００は、ＡＴＭ１２０が、開閉可能なシャッターで閉鎖される閉鎖スペース内に配置されており、サーバ装置１１０が、所定の位置に停車したことが検出され、かつ予約情報判断部８１８が出金予約情報が記憶されていると判断した場合、シャッターを開放させるシャッター開放指示を送信する開放指示送信部８２５と、開放指示送信部８２５がシャッター開放指示を送信した後に、閉鎖スペース内に車両が検出された場合、シャッターを閉鎖させるシャッター閉鎖指示を送信する閉鎖指示送信部８２６と、を備え、ＡＴＭ１２０が、出金指示実行部８０４が出金口から出金した現金の受け取りを検出する受取検出部８０５と、受取検出部８０５が現金の受け取りを検出した場合、現金の受け取りに関する情報をサーバ装置１１０に送信する受取情報送信部８０６と、を備え、サーバ装置１１０が、さらに、ＡＴＭ１２０から送信される現金の受け取りに関する情報を受信する受取情報受信部８２７を備え、開放指示送信部８２５が、受取情報受信部８２７が現金の受け取りに関する情報を受信した場合、シャッター開放指示を送信することを特徴としている。
【０１６４】
この発明にかかる実施の形態の現金出納システム１００によれば、開閉可能なシャッターで閉鎖される閉鎖スペース内に現金取引装置を配置することにより、シャッターで閉鎖された領域内で利用者が現金を受け取ることができる。これにより、引き出した現金を奪われる機会を減らし、セキュリティ性の向上を図ることができる。また、この発明にかかる実施の形態の現金出納システム１００によれば、出金予約をおこなうことによって閉鎖スペースに入る車両に対して時間的な制限を設けることにより、セキュリティ性を上げることができる。
【０１６５】
また、この発明にかかる実施の形態の現金出納システム１００は、サーバ装置１１０が、所定の位置と閉鎖スペースとの間で停車パレットを移動させる指示を送信する移動情報送信部８２８を備え、移動情報送信部８２８が、閉鎖スペース内に車両が検出されず、かつ開放指示送信部８２５がシャッター開放指示を送信した場合、所定の位置から閉鎖スペースまで停車パレットを移動させる指示を送信し、閉鎖スペース内に車両が検出され、かつ受取情報受信部８２７が現金の受け取りに関する情報を受信した後に開放指示送信部８２５がシャッター開放指示を送信した場合、閉鎖スペースから所定の位置まで停車パレットを移動させる指示を送信することを特徴としている。
【０１６６】
この発明にかかる実施の形態の現金出納システム１００によれば、所定の位置に車を停車させるだけで、以降は車を自走させることなく、所定の位置に停車させた車を停車パレットを用いて閉鎖スペースまで移動させ、利用者の車を、当該車に乗車する利用者が現金の受け取りが可能な位置まで移動させることができる。これにより、限られた閉鎖スペースにおいて現金の受け取りをおこなわせる場合にも、利用者に対して、閉鎖スペースに車を入れるための車両の切り返しなどの煩雑な作業をおこなわせることをなくし、車での移動をともなっておこなう現金取引装置からの現金の引き出しをおこなう利用者の利便性の向上を図ることができる。また、この発明に実施の形態の現金出納システム１００によれば、利用者は、所定の位置に車を停車させるだけで、以降は車を自走させずに、利用者の車両を閉鎖スペースまで停車パレットを用いて移動するので、閉鎖スペース内にある現金取引装置の出金口から現金を受け取ることができる。
【０１６７】
なお、以上において、この発明にかかる現金出納システム１００は、サーバ装置１１０が利用者の端末装置１３０から出金予約情報の入力を受け付けることを前提に説明したが、たとえば、上述した実施の形態の現金出納システム１００に代えて、サーバ装置１１０が利用者の端末装置１３０から出金予約情報の入力を受け付けない場合、すなわち、車両データベース５００に出金予約情報が記憶されていない場合であっても、利用者が現金の引き出しなどの現金出金サービスを利用出来るようにしてもよい。
【０１６８】
具体的には、上述した実施の形態の現金出納システム１００に代えて、金融機関の現金出納サービスを提供する現金取引装置と、当該現金取引装置と通信可能なサーバ装置と、を備えた現金出納システムであって、前記サーバ装置は、利用者が所持する口座の口座番号ごとに、車両に関する情報を関連付けて記憶するデータベースと、所定の位置を通過または前記所定の位置に停車する車両から、当該車両に関する情報を取得する車両情報取得手段と、前記車両情報取得手段が取得した前記車両に関する情報が、前記データベースに記憶されているか否かを判断する車両情報判断手段と、前記現金取引装置から送信される前記利用者が所持する口座に対する出金金額に関する情報を含む現金出金サービスに関する情報を受信する認証情報受信手段と、前記車両情報判断手段が前記車両に関する情報が記憶されていると判断した場合、前記認証情報受信手段が受信した前記現金出金サービスに関する情報に含まれる前記出金金額に関する情報に応じた金額を前記利用者の口座から減額する口座減額手段と、前記車両情報判断手段が前記車両に関する情報が記憶されていると判断した場合、前記出金金額に関する情報を含む出金指示情報を前記現金取引装置に送信する出金指示送信手段と、を備え、前記現金取引装置は、前記出金金額に関する情報を含む現金出金サービスに関する情報の入力を受け付ける認証情報受付手段と、前記認証情報受付手段が受け付けた前記現金出金サービスに関する情報を前記サーバ装置に送信する認証情報送信手段と、前記サーバ装置から送信される前記出金指示情報を受信する出金指示受信手段と、前記出金指示受信手段が前記出金指示情報を受信した場合、前記出金金額に関する情報に応じた現金を出金口から出金する出金指示実行手段と、を備えたことを特徴とする現金出納システムを構成してもよい。
【０１６９】
この現金出納システム１００によれば、現金の引き出しに車で行く際に、車から降りずにドライブスルー感覚でＡＴＭ１２０を操作することによって自身の口座から現金の引き出しをおこなうことができる。これにより、車での移動をともなっておこなう現金取引装置からの現金の引き出しをおこなう利用者の利便性の向上を図ることができる。
【０１７０】
また、この現金出納システム１００によれば、車両に関する情報が事前に登録されているので、現金取引装置にカードを挿入することなく現金の引き出しをおこなうことができる。すなわち、利用者は、カードを持って行くことなく、現金の引き出しをおこなうことができる。これにより、カードが紛失するリスクを軽減することができる。
【０１７１】
また、具体的には、上述した実施の形態の現金出納システム１００に代えて、金融機関の現金出納サービスを提供する現金取引装置と、当該現金取引装置と通信可能なサーバ装置と、を備えた現金出納システムであって、前記サーバ装置は、利用者が所持する口座の口座番号ごとに、車両のハンドルの位置に関する情報を含む車両に関する情報を関連付けて記憶するデータベースと、所定の位置を通過または前記所定の位置に停車する車両から、当該車両に関する情報を取得する車両情報取得手段と、前記車両情報取得手段が取得した前記車両に関する情報が、前記データベースに記憶されているか否かを判断するとともに、前記車両のハンドルの位置に関する情報に基づいて、複数の出金口のうちのいずれか一つを特定する車両情報判断手段と、前記現金取引装置から送信される前記利用者が所持する口座に対する出金金額に関する情報を含む現金出金サービスに関する情報を受信する認証情報受信手段と、前記車両情報判断手段が前記車両に関する情報が記憶されていると判断した場合、前記認証情報受信手段が受信した前記現金出金サービスに関する情報に含まれる前記出金金額に関する情報に応じた金額を前記利用者の口座から減額する口座減額手段と、前記車両情報判断手段が前記車両に関する情報が記憶されていると判断した場合、前記出金金額に関する情報および前記車両情報判断手段が特定した前記出金口に関する情報を含む出金指示情報を前記現金取引装置に送信する出金指示送信手段と、を備え、前記現金取引装置は、前記車両が通過または停車する前記所定の位置の両側に少なくとも一つずつ設けられた出金口と、前記出金金額に関する情報を含む現金出金サービスに関する情報の入力を受け付ける認証情報受付手段と、前記認証情報受付手段が受け付けた前記現金出金サービスに関する情報を前記サーバ装置に送信する認証情報送信手段と、前記サーバ装置から送信される前記出金指示情報を受信する出金指示受信手段と、前記出金指示受信手段が前記出金指示情報を受信した場合、前記出金金額に関する情報に応じた現金を前記出金口に関する情報に応じた出金口から出金する出金指示実行手段と、を備えたことを特徴とする現金出納システムを構成してもよい。
【０１７２】
この現金出納システム１００によれば、車両が通過または停車する所定の位置の両側に、出金口が少なくとも一つずつ設けられ、車両に関する情報に含まれる車両のハンドルの位置に関する情報に基づいて、複数の出金口のうちのいずれか一つの出金口が特定される。これによって、利用者の運転する車両のハンドルの位置に応じた出金口から現金を出金させることができる。たとえば、左ハンドルの車両の利用者がシートベルトを外さずに運転席に座ったままで容易に現金を受け取ることができる。これにより、車での移動をともなっておこなう現金取引装置からの現金の引き出しをおこなう利用者の利便性の向上を図ることができる。
【０１７３】
また、具体的には、上述した実施の形態の現金出納システム１００に代えて、金融機関の現金出納サービスを提供する現金取引装置と、当該現金取引装置と通信可能なサーバ装置と、を備えた現金出納システムであって、前記サーバ装置は、利用者が所持する口座の口座番号ごとに、車両に関する情報を関連付けて記憶するデータベースと、所定の位置を通過または前記所定の位置に停車する車両から、当該車両に関する情報を取得する車両情報取得手段と、前記車両情報取得手段が取得した前記車両に関する情報が、前記データベースに記憶されているか否かを判断する車両情報判断手段と、前記所定の位置に停車したことが検出され、かつ前記車両情報判断手段が前記車両に関する情報が記憶されていると判断した場合、閉鎖スペースの内側と外側を区切る、開閉可能なシャッターを開放させるシャッター開放指示を送信する開放指示送信手段と、前記開放指示送信手段が前記シャッター開放指示を送信した後に、前記閉鎖スペース内に前記車両が検出された場合、前記シャッターを閉鎖させるシャッター閉鎖指示を送信する閉鎖指示送信手段と、前記現金取引装置から送信される前記利用者が所持する口座に対する出金金額に関する情報を含む現金出金サービスに関する情報を受信する認証情報受信手段と、前記車両情報判断手段が前記車両に関する情報が記憶されていると判断した場合、前記認証情報受信手段が受信した前記現金出金サービスに関する情報に含まれる前記出金金額に関する情報に応じた金額を前記利用者の口座から減額する口座減額手段と、前記車両情報判断手段が前記車両に関する情報が記憶されていると判断した場合、前記出金金額に関する情報を含む出金指示情報を前記現金取引装置に送信する出金指示送信手段と、前記現金取引装置から送信される現金の受け取りに関する情報を受信する受取情報受信手段と、を備え、前記現金取引装置は、前記シャッターで閉鎖される閉鎖スペース内に配置されており、前記出金金額に関する情報を含む現金出金サービスに関する情報の入力を受け付ける認証情報受付手段と、前記認証情報受付手段が受け付けた前記現金出金サービスに関する情報を前記サーバ装置に送信する認証情報送信手段と、前記サーバ装置から送信される前記出金指示情報を受信する出金指示受信手段と、前記出金指示受信手段が前記出金指示情報を受信した場合、前記出金金額に関する情報に応じた現金を出金口から出金する出金指示実行手段と、前記出金指示実行手段が前記出金口から出金した前記現金の受け取りを検出する受取検出手段と、前記受取検出手段が前記現金の受け取りを検出した場合、前記現金の受け取りに関する情報を前記サーバ装置に送信する受取情報送信手段と、を備え、前記開放指示送信手段は、前記受取情報受信手段が前記現金の受け取りに関する情報を受信した場合、前記シャッター開放指示を送信することを特徴とする現金出納システムを構成してもよい。
【０１７４】
この現金出納システム１００によれば、開閉可能なシャッターで閉鎖される閉鎖スペース内に現金取引装置を配置することにより、シャッターで閉鎖された領域内で利用者が現金を受け取ることができる。これにより、引き出した現金を奪われる機会を減らし、セキュリティ性の向上を図ることができる。
【産業上の利用可能性】
【０１７５】
以上のように、この発明にかかる現金出納システムは、迅速かつ楽にＡＴＭから現金を受け取ることができる現金出金サービスを提供する現金出納システムに有用である。
【符号の説明】
【０１７６】
１００  現金出納システム
１１０  サーバ装置
１２０  ＡＴＭ
１３０  端末装置
８０１  認証情報受付部
８０２  認証情報送信部
８０３  出金指示受信部
８０４  出金指示実行部
８０５  受取検出部
８０６  受取情報送信部
８１０  データベース格納部
８１１  予約情報受付部
８１２  利用者特定部
８１３  予約情報登録部
８１４  記憶部
８１５  車両情報取得部
８１６  判断部
８１７  車両情報判断部
８１８  予約情報判断部
８１９  認証情報判断部
８２０  有効期間判断部
８２１  認証情報受信部
８２２  口座減額部
８２３  指示送信部
８２４  出金指示送信部
８２５  開放指示送信部
８２６  閉鎖指示送信部
８２７  受取情報受信部
８２８  移動情報送信部
【図１】
2015162132.tif 000003
【図２】
2015162132.tif 000004
【図３】
2015162132.tif 000005
【図４】
2015162132.tif 000006
【図５】
2015162132.tif 000007
【図６−１】
2015162132.tif 000008
【図６−２】
2015162132.tif 000009
【図７−１】
2015162132.tif 000010
【図７−２】
2015162132.tif 000011
【図７−３】
2015162132.tif 000012
【図８】
2015162132.tif 000013
【図９】
2015162132.tif 000014
【図１０】
2015162132.tif 000015
【図１１】
2015162132.tif 000016